(57)【要約】【課題】駆動用インバータ回路と整流回路との複数の回路毎に平滑コンデンサを並列配置し、回路間のコンデンサの充放電を利用したＤＣ／ＤＣ電力変換装置において、平滑コンデンサのリプル電流を低減する。【解決手段】２直列のMOSFETから成る３個のセル回路を並列接続して平滑コンデンサCs1の両端子間に接続して成る駆動用インバータ回路Ａ１と、２直列のMOSFETを各平滑コンデンサCs2、Cs3、Cs4の両端子間に接続した３つの整流回路Ａ２、Ａ３、Ａ４とを直列接続して、各セル回路と各整流回路Ａ２、Ａ３、Ａ４との間にコンデンサとインダクタのＬＣ直列体LC12〜LC14を等しい共振周期にて配設して、３つの列回路Ｘ、Ｙ、Ｚを構成する。そして各列回路Ｘ、Ｙ、Ｚを、駆動周期をＬＣ直列体LC12〜LC14の共振周期と一致させると共に各列回路毎に位相を２π／３（rad）ずらして駆動する。【選択図】図１
2008283847.tif 000002
【特許請求の範囲】
【請求項１】
半導体スイッチング素子から成る高圧側素子および低圧側素子を直列接続して平滑コンデンサの正負端子間に接続して成る駆動用インバータ回路と、半導体スイッチング素子あるいはダイオード素子から成る高圧側素子および低圧側素子を直列接続して平滑コンデンサの正負端子間に接続して成る整流回路とによるｎ（ｎは３以上）個の回路を直列接続して備え、
上記駆動用インバータ回路、上記整流回路のいずれか一方である第１の回路を、上記高圧側素子および低圧側素子を直列接続したセル回路をｍ個並列接続して上記平滑コンデンサの正負端子間に接続して構成すると共に、複数個ある他方の回路を第２の回路とし、これら各回路の上記高圧側素子と上記低圧側素子との接続点を中間端子として、上記各セル回路と上記各第２の回路との間となる該中間端子間にエネルギ移行用コンデンサを備えて、
上記セル回路、上記第２の回路および上記エネルギ移行用コンデンサをそれぞれ有するｍ個の列回路を構成し、
上記各列回路を駆動する駆動信号は、駆動周期を一致させると共に各列回路毎に位相をずらすものであることを特徴とするＤＣ／ＤＣ電力変換装置。
【請求項２】
上記ｍ個の列回路を駆動する各駆動信号の位相は、それぞれ２π／ｍずつ異なることを特徴とする請求項１に記載のＤＣ／ＤＣ電力変換装置。
【請求項３】
上記第１の回路内のセル回路の個数（ｍ）は、上記第２の回路の個数と同数であり、上記各列回路は、１つの上記セル回路と１つの上記第２の回路と該回路間に接続された１つの上記エネルギ移行用コンデンサとで構成されることを特徴とする請求項１または２に記載のＤＣ／ＤＣ電力変換装置。
【請求項４】
半導体スイッチング素子から成る高圧側素子および低圧側素子を直列接続した駆動用インバータ回路と、半導体スイッチング素子あるいはダイオード素子から成る高圧側素子および低圧側素子を直列接続した整流回路とによるｎ（ｎは３以上）個の回路を直列接続したｎ段回路内で、低圧側の（ｎ−１）段の各回路をそれぞれ平滑コンデンサの正負端子間に接続し、残りの高圧側の１回路の高圧側端子と所定の低圧側回路の低圧側端子との間に高圧側平滑コンデンサを接続し、
上記駆動用インバータ回路、上記整流回路のいずれか一方である第１の回路を、上記高圧側素子および低圧側素子を直列接続したセル回路を２個並列接続して構成すると共に、複数個ある他方の回路を第２の回路とし、これら各回路の上記高圧側素子と上記低圧側素子との接続点を中間端子として、上記各セル回路と上記各第２の回路との間となる該中間端子間にエネルギ移行用コンデンサを備えて、
上記セル回路、上記第２の回路および上記エネルギ移行用コンデンサをそれぞれ有する２個の列回路を構成し、
上記各列回路を駆動する駆動信号は、駆動周期を一致させると共に各列回路毎に位相をずらすものであることを特徴とするＤＣ／ＤＣ電力変換装置。
【請求項５】
上記２個の列回路を駆動する各駆動信号の位相は、それぞれ２π／２ずつ異なることを特徴とする請求項４に記載のＤＣ／ＤＣ電力変換装置。
【請求項６】
上記高圧側平滑コンデンサが接続される上記所定の低圧側回路の低圧側端子は、ｎ段回路の最も低圧側回路の低圧側端子であることを特徴とする請求項４または５に記載のＤＣ／ＤＣ電力変換装置。
【請求項７】
上記高圧側平滑コンデンサが接続される上記所定の低圧側回路の低圧側端子は、上記第１の回路の高圧側端子に接続される端子であることを特徴とする請求項４または５に記載のＤＣ／ＤＣ電力変換装置。
【請求項８】
上記列回路は、１つの上記セル回路と１以上の上記各第２の回路との間にそれぞれ上記エネルギ移行用コンデンサを接続して構成されることを特徴とする請求項１、２または４〜７のいずれか１項に記載のＤＣ／ＤＣ電力変換装置。
【請求項９】
上記列回路は、１つの上記セル回路および２以上の上記第２の回路が並んで直列接続され、各隣接回路間にそれぞれ上記エネルギ移行用コンデンサを接続して構成されることを特徴とする請求項１、２または４〜７のいずれか１項に記載のＤＣ／ＤＣ電力変換装置。
【請求項１０】
上記第１の回路の上記平滑コンデンサの正負端子に入出力用の電圧端子を接続することを特徴とする請求項１〜９のいずれか１項に記載のＤＣ／ＤＣ電力変換装置。
【請求項１１】
上記第１の回路は、両側が上記ｎ個の回路内の他の回路に接続されて中間に位置することを特徴とする請求項１０に記載のＤＣ／ＤＣ電力変換装置。
【請求項１２】
上記直列接続されたｎ個の回路は、１個の第１の回路と、（ｎ−１）個の第２の回路とから成ることを特徴とする請求項１〜１１のいずれか１項に記載のＤＣ／ＤＣ電力変換装置。
【請求項１３】
上記エネルギ移行用コンデンサと直列にインダクタを配置したことを特徴とする請求項１〜１２のいずれか１項に記載のＤＣ／ＤＣ電力変換装置。
【請求項１４】
上記エネルギ移行用コンデンサと上記インダクタとから成り上記回路間に配される複数の直列体は、コンデンサ容量とインダクタンスとで決まる共振周期がそれぞれ等しいことを特徴とする請求項１３に記載のＤＣ／ＤＣ電力変換装置。
【請求項１５】
上記各半導体スイッチング素子は、ソース・ドレイン間に寄生ダイオードを有するパワーＭＯＳＦＥＴ、あるいはダイオードを逆並列に接続した半導体スイッチング素子であることを特徴とする請求項１〜１４のいずれか１項に記載のＤＣ／ＤＣ電力変換装置。
【発明の詳細な説明】
【技術分野】
【０００１】
この発明は、直流電圧を昇圧あるいは降圧した直流電圧に変換する、ＤＣ／ＤＣ電力変換装置に関するものである。
【背景技術】
【０００２】
従来のＤＣ／ＤＣ電力変換装置としてのＤＣ／ＤＣコンバータは、正の電位に接続する半導体スイッチと負の電位に接続する半導体スイッチとを備えた少なくとも２個以上の半導体スイッチを具備するインバータ回路と、直列に接続される複数の整流器と直列に接続される複数のコンデンサとを備えた多倍圧整流回路で構成され、インバータ回路で交流電圧を作り、更に、多倍圧整流回路で高圧直流電圧を作り負荷に供給する（例えば、特許文献１参照）。
【０００３】
【特許文献１】特開平９−１９１６３８号公報
【発明の開示】
【発明が解決しようとする課題】
【０００４】
このような従来のＤＣ／ＤＣ電力変換装置では、並列に平滑コンデンサを配置されたインバータ回路と整流回路とを備え、インバータ回路と整流回路の間に直列にコンデンサを接続し、コンデンサの充放電を利用して直流／直流電力変換を行うものであり、平滑コンデンサは、回路間に接続されたコンデンサと電流を互いに供給しあっている。平滑コンデンサには、各回路間に接続されたコンデンサに流れる電流が重複して流れるため、リプル電流が大きくなる。このため、平滑コンデンサ部の発熱が大きく、また、電流を許容するための容量が大きくなり平滑コンデンサのサイズが大きくなるといった問題点があった。
【０００５】
この発明は、上記のような問題点を解消するために成されたものであって、駆動用インバータ回路と整流回路とから成る複数の回路毎に平滑コンデンサを並列配置し、エネルギ移行用コンデンサの充放電を利用するＤＣ／ＤＣ電力変換装置において、上記複数の各回路に並列配置される各平滑コンデンサのリプル電流を低減して、平滑コンデンサの容量低減により装置構成の小型化を図ると共に信頼性を向上させることを目的とする。
【課題を解決するための手段】
【０００６】
この発明による第１のＤＣ／ＤＣ電力変換装置は、半導体スイッチング素子から成る高圧側素子および低圧側素子を直列接続して平滑コンデンサの正負端子間に接続して成る駆動用インバータ回路と、半導体スイッチング素子あるいはダイオード素子から成る高圧側素子および低圧側素子を直列接続して平滑コンデンサの正負端子間に接続して成る整流回路とによるｎ（ｎは３以上）個の回路を直列接続して備える。上記駆動用インバータ回路、上記整流回路のいずれか一方である第１の回路を、上記高圧側素子および低圧側素子を直列接続したセル回路をｍ個並列接続して上記平滑コンデンサの正負端子間に接続して構成すると共に、複数個ある他方の回路を第２の回路とし、これら各回路の上記高圧側素子と上記低圧側素子との接続点を中間端子として、上記各セル回路と上記各第２の回路との間となる該中間端子間にエネルギ移行用コンデンサを備える。そして、それぞれ上記セル回路、上記第２の回路および上記エネルギ移行用コンデンサを有するｍ個の列回路を構成し、上記各列回路を駆動する駆動信号は、駆動周期を一致させると共に各列回路毎に位相をずらすものである。
【発明の効果】
【０００７】
この発明によるＤＣ／ＤＣ電力変換装置は、駆動用インバータ回路、整流回路のいずれか一方である第１の回路を、セル回路をｍ個並列接続して平滑コンデンサの正負端子間に接続して構成し、各セル回路と他方の回路である各第２の回路との間にエネルギ移行用コンデンサを備えて構成されるｍ個の列回路を、駆動周期を一致させると共に各列回路毎に位相をずらした駆動信号により駆動するため、各平滑コンデンサのリプル電流を低減できる。これにより、平滑コンデンサの発熱を抑え、信頼性が向上すると共に、変換効率が向上する。また、平滑コンデンサの容量が低減でき装置構成の小型化が促進できる。
【発明を実施するための最良の形態】
【０００８】
実施の形態１．
以下、この発明の実施の形態１によるＤＣ／ＤＣ電力変換装置について説明する。
図１はこの発明の実施の形態１によるＤＣ／ＤＣ電力変換装置の回路構成を示すものである。
図１に示すように、ＤＣ／ＤＣ電力変換装置は、複数（この場合３個）のセル回路Ａ１−Ｘ、Ａ１−Ｙ、Ａ１−Ｚを並列接続した第１の回路としての回路Ａ１、および複数（この場合３個）の第２の回路としての回路Ａ２〜Ａ４から成る複数段（この場合４段）の回路Ａ１〜Ａ４と、駆動用電源Vs1、Vs2、Vs3、Vs4と、入出力電圧を平滑化し、またエネルギ移行のための電圧源としても機能する平滑コンデンサCs1、Cs2、Cs3、Cs4と、制御回路130と、入出力電圧端子Vcom、VL、VHとを備える。そして、電圧端子VLとVcom間に入力された電圧V1を、約４倍に昇圧された電圧V2にして電圧端子VHとVcom間に出力する機能を有する。
【０００９】
回路Ａ１は、低圧側素子、高圧側素子としての２つのMOSFET（Mos1L−X、Mos1H−X）（Mos1L−Y、Mos1H−Y）（Mos1L−Z、Mos1H−Z）を直列接続したセル回路Ａ１−Ｘ、Ａ１−Ｙ、Ａ１−Ｚを並列接続して、平滑コンデンサCs1の両端子間に接続して構成される。また、低圧側素子、高圧側素子としての２つのMOSFET（Mos2L、Mos2H）（Mos3L、Mos3H）（Mos4L、Mos4H）を直列接続して、各平滑コンデンサCs2、Cs3、Cs4の両端子間に接続した３つの回路Ａ２、Ａ３、Ａ４と回路Ａ１とを直列接続して４段回路が構成される。
【００１０】
そして、各セル回路Ａ１−Ｘ、Ａ１−Ｙ、Ａ１−Ｚおよび回路Ａ２、Ａ３、Ａ４内の２つのMOSFETの接続点を中間端子として、セル回路Ａ１−Ｘと回路Ａ２との中間端子間に、エネルギ移行用のコンデンサCr12およびインダクタLr12の直列体で構成されエネルギ移行素子として機能するＬＣ直列体LC12を接続する。同様に、セル回路Ａ１−Ｙと回路Ａ３との中間端子間、セル回路Ａ１−Ｚと回路Ａ４との中間端子間に、エネルギ移行用のコンデンサCr13、Cr14およびインダクタLr13、Lr14の直列体で構成されエネルギ移行素子として機能するＬＣ直列体LC13、LC14を接続する。各段のインダクタLrとコンデンサCrのインダクタンス値と容量値から定まる共振周期の値は、それぞれ等しくなるように設定されている。
これにより、セル回路Ａ１−Ｘ、回路Ａ２およびＬＣ直列体LC12で構成される列回路Ｘと、セル回路Ａ１−Ｙ、回路Ａ３およびＬＣ直列体LC13で構成される列回路Ｙと、セル回路Ａ１−Ｚ、回路Ａ４およびＬＣ直列体LC14で構成される列回路Ｚとの３つの列回路Ｘ、Ｙ、ＺがＤＣ／ＤＣ電力変換装置内に構成される。
【００１１】
また、ＤＣ／ＤＣ電力変換装置は、各セル回路Ａ１−Ｘ、Ａ１−Ｙ、Ａ１−Ｚおよび回路Ａ２、Ａ３、Ａ４内のMOSFETを駆動するための、ゲート駆動回路111−X、111−Y、111−Z、112〜114およびフォトカプラ（121L−X、121H−X）、（121L−Y、121H−Y）、（121L−Z、121H−Z）、（122L、122H）〜（124L、124H）を備える。
なお、各MOSFETは、ソース、ドレイン間に寄生ダイオードが形成されているパワーMOSFETである。
【００１２】
次に、接続の詳細について説明する。
平滑コンデンサCs1の両端子は、それぞれ電圧端子VLとVcomに接続され、電圧端子Vcomは接地されている。平滑コンデンサCs1のVL側電圧端子は、平滑コンデンサCs2の一方の端子に接続され、平滑コンデンサCs2の他方の端子は平滑コンデンサCs3の一方の端子に、平滑コンデンサCs3の他方の端子は平滑コンデンサCs4の一方の端子に、平滑コンデンサCs4の他方の端子は電圧端子VHに接続されている。
Mos1L−X、Mos1L−Y、Mos1L−Zのソース端子は電圧端子Vcomに、ドレイン端子はMos1H−X、Mos1H−Y、Mos1H−Zのソース端子に、Mos1H−X、Mos1H−Y、Mos1H−Zのドレイン端子は電圧端子VLに接続されている。Mos2Lのソース端子は平滑コンデンサCs2の低電圧側の端子に、Mos2Lのドレイン端子はMos2Hのソース端子に、Mos2Hのドレイン端子は平滑コンデンサCs2の高電圧側の端子に接続されている。Mos3Lのソース端子は平滑コンデンサCs3の低電圧側の端子に、Mos3Lのドレイン端子はMos3Hのソース端子に、Mos3Hのドレイン端子は平滑コンデンサCs3の高電圧側の端子に接続されている。Mos4Lのソース端子は平滑コンデンサCs4の低電圧側の端子に、Mos4Lのドレイン端子はMos4Hのソース端子に、Mos4Hのドレイン端子は平滑コンデンサCs4の高電圧側の端子に接続されている。
【００１３】
ＬＣ直列体LC12の一端は、Mos1L−XとMos1H−Xの接続点に接続され、他端はMos2LとMos2Hの接続点に接続されている。ＬＣ直列体LC13の一端は、Mos1L−YとMos1H−Yの接続点に接続され、他端はMos3LとMos3Hの接続点に接続されている。ＬＣ直列体LC14の一端は、Mos1L−ZとMos1H−Zの接続点に接続され、他端はMos4LとMos4Hの接続点に接続されている。
Mos1L−X、Mos1H−Xのゲート端子はゲート駆動回路111−Xの出力端子に接続され、ゲート駆動回路111−Xの入力端子には、Mos1L−Xのソース端子の電圧を基準としたそれぞれのゲート駆動信号が入力される。同様に、（Mos1L−Y、Mos1H−Y）、（Mos1L−Z、Mos1H−Z）、（Mos2L、Mos2H）〜（Mos4L、Mos4H）のゲート端子はゲート駆動回路111−Y、111−Z、112〜114の出力端子に接続され、ゲート駆動回路111−Y、111−Z、112〜114の入力端子には、Mos1L−Y、Mos1L−Z、Mos2L〜Mos4Lのソース端子の電圧を基準としたそれぞれのゲート駆動信号が入力される。なお、ゲート駆動回路111−X、111−Y、111−Z、112〜114は、一般的なブートストラップ方式の駆動回路であり、ハーフブリッジインバータ回路駆動用のドライバICや高電圧側のMOSFETを駆動するためのコンデンサ等で構成されている。
【００１４】
Mos1L−X駆動用のゲート駆動信号はフォトカプラ121L−Xから、Mos1H−X駆動用のゲート駆動信号はフォトカプラ121H−Xから出力される。同様に、Mos1L−Y、Mos1L−Z、Mos2L〜Mos4L駆動用のゲート駆動信号はフォトカプラ121L−Y、121L−Z、122L〜124Lから、Mos1H−Y、Mos1H−Z、Mos2H〜Mos4H駆動用のゲート駆動信号はフォトカプラ121H−Y、121H−Z、122H〜124Hから出力される。
制御回路130からは、各列回路Ｘ、Ｙ、Ｚ毎にゲート信号（GateL−X、GateH−X）、（GateL−Y、GateH−Y）、（GateL−Z、GateH−Z）が出力される。この場合、制御回路130内のマイクロコンピュータ等の信号処理回路において、ゲート信号を生成している。そして、列回路Ｘのフォトカプラ121L−X、122Lには、ゲート信号GateL−Xが入力され、フォトカプラ121H−X、122Hには、ゲート信号GateH−Xが入力される。また列回路Ｙのフォトカプラ121L−Y、123Lには、ゲート信号GateL−Yが入力され、フォトカプラ121H−Y、123Hには、ゲート信号GateH−Yが入力される。列回路Ｚのフォトカプラ121L−Z、124Lには、ゲート信号GateL−Zが入力され、フォトカプラ121H−Z、124Hには、ゲート信号GateH−Zが入力される。
【００１５】
電源Vs1は、Mos1L−XとMos1L−YとMos1L−Zのソース端子を基準とした、MOSFET、ゲート駆動回路、フォトカプラを駆動するために備えられた電源であり、電源Vs2、Vs3、Vs4は、それぞれ、Mos2L、Mos3L、Mos4Lのソース端子を基準とした、MOSFET、ゲート駆動回路、フォトカプラを駆動するために備えられた電源である。フォトカプラは、ゲート信号とゲート駆動信号を電気的に絶縁するために配置されている。
【００１６】
次に、動作について説明する。
第１の回路である回路Ａ１は、電圧端子VL−Vcom間に入力されるエネルギを、回路Ａ１を構成する各セル回路Ａ１−Ｘ、Ａ１−Ｙ、Ａ１−Ｚ内のMOSFETのオンオフ動作により高電圧側に送る駆動用インバータ回路として動作する。即ち、各セル回路Ａ１−Ｘ、Ａ１−Ｙ、Ａ１−Ｚが駆動用インバータ回路として用いられる。
列回路Ｘでは、セル回路Ａ１−Ｘが、電圧端子VL−Vcom間に入力されるエネルギを、MOSFET（Mos1L−X、Mos1H−X）のオンオフ動作により高電圧側に送る駆動用インバータ回路として動作し、回路Ａ２が、セル回路Ａ１−Ｘで駆動された電流を整流し、エネルギを高電圧側へ移行する整流回路として動作する。列回路Ｙでは、セル回路Ａ１−Ｙが、電圧端子VL−Vcom間に入力されるエネルギを、MOSFET（Mos1L−Y、Mos1H−Y）のオンオフ動作により高電圧側に送る駆動用インバータ回路として動作し、回路Ａ３が、セル回路Ａ１−Ｙで駆動された電流を整流し、エネルギを高電圧側へ移行する整流回路として動作する。列回路Ｚでは、セル回路Ａ１−Ｚが、電圧端子VL−Vcom間に入力されるエネルギを、MOSFET（Mos1L−Z、Mos1H−Z）のオンオフ動作により高電圧側に送る駆動用インバータ回路として動作し、回路Ａ４が、セル回路Ａ１−Ｚで駆動された電流を整流し、エネルギを高電圧側へ移行する整流回路として動作する。
【００１７】
制御回路130から各列回路Ｘ、Ｙ、Ｚ毎にゲート信号（GateL−X、GateH−X）、（GateL−Y、GateH−Y）、（GateL−Z、GateH−Z）が出力され、これらのゲート信号により各列回路Ｘ、Ｙ、Ｚが駆動される。
列回路Ｘのゲート信号（GateH−X、GateL−X）と、駆動用インバータ回路Ａ１−Ｘおよび整流回路Ａ２内の低圧側MOSFET（Mos1L−X、Mos2L）に流れる電流と高圧側MOSFET（Mos1H−X、Mos2H）に流れる電流とを図２に示す。駆動用インバータ回路Ａ１−Ｘ内のMOSFETではドレインからソースに電流が流れ、整流回路Ａ２内のMOSFETではソースからドレインに電流が流れる。MOSFETはゲート信号がハイ電圧でオンする。
図２に示すように、ゲート信号（GateL−X、GateH−X）は、LrとCrによるＬＣ直列体LC12、LC13、LC14にて定まる共振周期Ｔを周期とし、デューティー約50％のオンオフ信号である。なお、列回路Ｙ、Ｚのゲート信号（GateL−Y、GateH−Y）、（GateL−Z、GateH−Z）および各列回路Ｙ、Ｚ内のMOSFETを流れる電流も、図２と同様である。
【００１８】
平滑コンデンサCs1、Cs2、Cs3、Cs4の容量値は、ＬＣ直列体のコンデンサCr12、Cr13、Cr14の容量値と比較して十分大きな値に設定される。
上述したように、電圧端子VL−Vcom間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs1には電圧V1の電圧が充電されており、平滑コンデンサCs2、Cs3、Cs4には平均的に（V2−V1）／3の電圧が充電されている。
【００１９】
セル回路Ａ１−Ｘ、回路Ａ２およびＬＣ直列体LC12で構成される列回路Ｘの動作について説明する。
低圧側MOSFETへのゲート信号GateL−Xによりセル回路Ａ１−Ｘおよび回路Ａ２の低圧側MOSFETであるMos1L−X、Mos2Lがオン状態となると、電圧差があるため、平滑コンデンサCs1に蓄えられた一部のエネルギが、
Cs1⇒Mos2L⇒Lr12⇒Cr12⇒Mos1L−X
の経路でコンデンサCr12に移行する。
次いで、高圧側MOSFETへのゲート信号GateH−Xによりセル回路Ａ１−Ｘおよび回路Ａ２の高圧側MOSFETであるMos1H−X、Mos2Hがオン状態となると、電圧差があるため、コンデンサCr12に充電されたエネルギが、
Cr12⇒Lr12⇒Mos2H⇒Cs2⇒Mos1H−X
の経路で平滑コンデンサCs2に移行する。
【００２０】
次に、セル回路Ａ１−Ｙ、回路Ａ３およびＬＣ直列体LC13で構成される列回路Ｙの動作について説明する。
低圧側MOSFETへのゲート信号GateL−Yによりセル回路Ａ１−Ｙおよび回路Ａ３の低圧側MOSFETであるMos1L−Y、Mos3Lがオン状態となると、電圧差があるため、平滑コンデンサCs1、Cs2に蓄えられた一部のエネルギが、
Cs1⇒Cs2⇒Mos3L⇒Lr13⇒Cr13⇒Mos1L−Y
の経路でコンデンサCr13に移行する。
次いで、高圧側MOSFETへのゲート信号GateH−Yによりセル回路Ａ１−Ｙおよび回路Ａ３の高圧側MOSFETであるMos1H−Y、Mos3Hがオン状態となると、電圧差があるため、コンデンサCr13に充電されたエネルギが、
Cr13⇒Lr13⇒Mos3H⇒Cs3⇒Cs2⇒Mos1H−X
の経路で平滑コンデンサCs2、Cs3に移行する。
【００２１】
次に、セル回路Ａ１−Ｚ、回路Ａ４およびＬＣ直列体LC14で構成される列回路Ｚの動作について説明する。
低圧側MOSFETへのゲート信号GateL−Zによりセル回路Ａ１−Ｚおよび回路Ａ４の低圧側MOSFETであるMos1L−Z、Mos4Lがオン状態となると、電圧差があるため、平滑コンデンサCs1、Cs2、Cs3に蓄えられた一部のエネルギが、
Cs1⇒Cs2⇒Cs3⇒Mos4L⇒Lr14⇒Cr14⇒Mos1L−Z
の経路でコンデンサCr14に移行する。
次いで、高圧側MOSFETへのゲート信号GateH−Zによりセル回路Ａ１−Ｚおよび回路Ａ４の高圧側MOSFETであるMos1H−Z、Mos4Hがオン状態となると、電圧差があるため、コンデンサCr14に充電されたエネルギが、
Cr14⇒Lr14⇒Mos4H⇒Cs4⇒Cs3⇒Cs2⇒Mos1H−Z
の経路で平滑コンデンサCs2、Cs3、Cs4に移行する。
【００２２】
このように、コンデンサCr12、Cr13、Cr14の充放電により、平滑コンデンサCs1から平滑コンデンサCs2、Cs3、Cs4にエネルギを移行する。そして、電圧端子VLとVcom間に入力された電圧V1を、約４倍に昇圧された電圧V2にして電圧端子VHとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
またこの実施の形態では、整流回路Ａ２〜Ａ４にMOSFETを用いたため、後述するダイオードを用いたものに比して導通損失が低減でき、電力変換の効率が向上できる。
【００２３】
以上のように各列回路Ｘ、Ｙ、Ｚは動作するものであるが、３つの列回路Ｘ、Ｙ、Ｚを備えたＤＣ／ＤＣ電力変換装置全体の動作について、以下に説明する。
図３に、各列回路Ｘ、Ｙ、Ｚ内の高圧側MOSFETを駆動するゲート信号GateH−X、GateH−Y、GateH−Zを示す。図２を用いて示したように、このゲート信号GateH−X、GateH−Y、GateH−Zの反転信号が、低圧側MOSFETを駆動するGateL−X、GateL−Y、GateL−Zである。
図３に示すように、各列回路Ｘ、Ｙ、Ｚを駆動する駆動信号は、周期をＴとして一致させると共に、各列回路間で位相をＴ／3ずつずらして駆動している。
【００２４】
例えば、V1の電圧72V、入力直流電流75Aの条件における、平滑コンデンサCs1、Cs2、Cs3、Cs4に流れる電流を図４に示す。図には、３つの列回路で位相をＴ／3ずつずらして駆動した場合、即ちこの実施の形態の場合の平滑コンデンサ電流と、比較例として位相をずらさない場合の平滑コンデンサ電流が示されている。縦軸は電流、横軸は時間である。
図４に示すように、位相をずらして駆動することにより、平滑コンデンサCs1、Cs2、Cs3のリプル電流が減少する。
【００２５】
以上のように、この実施の形態では、４段の回路Ａ１、Ａ２、Ａ３、Ａ４の内、駆動用インバータ回路として動作する第１の回路Ａ１を３個のセル回路Ａ１−Ｘ、Ａ１−Ｙ、Ａ１−Ｚを並列接続して構成することで、ＤＣ／ＤＣ電力変換装置内に３つの列回路Ｘ、Ｙ、Ｚを構成した。そして、各列回路Ｘ、Ｙ、Ｚを、駆動周期を一致させると共に各列回路毎に位相を２π／３（rad）ずらして駆動した。これにより、平滑コンデンサCs1、Cs2、Cs3、Cs4の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。
【００２６】
このような平滑コンデンサのリプル電流低減により、以下のような効果がある。
平滑コンデンサの発熱が抑制され信頼性が向上する。また、電流低減により抵抗分による損失が低減し電力変換効率が向上する。また、平滑コンデンサに必要な容量を低下でき平滑コンデンサのサイズを小さくでき、装置構成の小型化を促進できる。
さらにまた、誘電損失は大きいがサイズが小さいセラミックコンデンサを平滑コンデンサに採用することが可能になり、平滑コンデンサのサイズをさらに小さくできる。
【００２７】
なお、上記実施の形態では、列回路を３個としたが、３あるいは５以上のｎ段の回路Ａ１〜Ａｎを備えて昇圧比ｎであるＤＣ／ＤＣ電力変換装置において、駆動用インバータ回路として動作する第１の回路Ａ１を（ｎ−１）個のセル回路を並列接続して構成し、ＤＣ／ＤＣ電力変換装置内に（ｎ−１）個の列回路を構成しても良い。その場合、各列回路を、駆動周期を一致させると共に各列回路毎に２π／（ｎ−１）（rad）ずつ位相をずらして駆動することにより、平滑コンデンサのリプル電流が減少する効果が得られる。また、列回路の数を増加するほど平滑コンデンサに流れる電流が１周期内でさらに分散して発生するため、効果的にリプル電流が低減できる。
また、列回路の個数をｍとすると、各列回路間で２π／ｍ（rad）ずつ位相をずらして駆動するのが最も効果的であるが、位相差は、これに限らず、各列回路間で位相をずらすことにより、平滑コンデンサへの充放電電流を列回路間で融通し合えるため、リプル電流低減の効果がある。
【００２８】
実施の形態２．
上記実施の形態１では、電圧V1を、約４倍の電圧V2に昇圧する昇圧形のＤＣ／ＤＣ電力変換装置について示したが、この実施の形態では、電圧V2から電圧V1に降圧する降圧形のＤＣ／ＤＣ電力変換装置について示す。
この実施の形態によるＤＣ／ＤＣ電力変換装置の回路構成は、図１で示す回路構成と同様であるが、この場合、各列回路Ｘ、Ｙ、Ｚ内の回路Ａ２、Ａ３、Ａ４は駆動用インバータ回路として動作し、回路Ａ１は、駆動用インバータ回路で駆動された電流を整流し、エネルギを低電圧側へ移行する整流回路として動作する。即ち、各セル回路Ａ１−Ｘ、Ａ１−Ｙ、Ａ１−Ｚが整流回路として用いられる。
列回路Ｘでは、回路Ａ２が駆動用インバータ回路として動作し、セル回路Ａ１−Ｘが整流回路として動作する。列回路Ｙでは、回路Ａ３が駆動用インバータ回路として動作し、セル回路Ａ１−Ｙが整流回路として動作する。列回路Ｚでは、回路Ａ４が駆動用インバータ回路として動作し、セル回路Ａ１−Ｚが整流回路として動作する。
【００２９】
制御回路130から各列回路Ｘ、Ｙ、Ｚ毎にゲート信号（GateL−X、GateH−X）、（GateL−Y、GateH−Y）、（GateL−Z、GateH−Z）が出力され、これらゲート信号により各列回路Ｘ、Ｙ、Ｚが駆動される。
列回路Ｘのゲート信号（GateH−X、GateL−X）と、駆動用インバータ回路Ａ２および整流回路Ａ１−Ｘ内の低圧側MOSFET（Mos2L、Mos1L−X）に流れる電流と高圧側MOSFET（Mos2H、Mos1H−X）に流れる電流とを図５に示す。駆動用インバータ回路Ａ２内のMOSFETではドレインからソースに電流が流れ、整流回路Ａ１−Ｘ内のMOSFETではソースからドレインに電流が流れる。MOSFETはゲート信号がハイ電圧でオンする。
図５に示すように、ゲート信号（GateL−X、GateH−X）は、LrとCrによるＬＣ直列体LC12、LC13、LC14にて定まる共振周期Ｔを周期とし、デューティー約50％のオンオフ信号である。なお、列回路Ｙ、Ｚのゲート信号（GateL−Y、GateH−Y）、（GateL−Z、GateH−Z）および各列回路Ｙ、Ｚ内のMOSFETを流れる電流も、図５と同様である。
【００３０】
平滑コンデンサCs1、Cs2、Cs3、Cs4の容量値は、ＬＣ直列体のコンデンサCr12、Cr13、Cr14の容量値と比較して十分大きな値に設定される。
電圧端子VH−Vcom間に入力された電圧V2を、約1／4倍に降圧された電圧V1にして電圧端子VL−Vcom間に出力するため、電圧端子VL−Vcom間に負荷が接続され、電圧V2は4×V1よりも高い値となっている。定常状態では、平滑コンデンサCs1には電圧V1の電圧が充電されており、平滑コンデンサCs2、Cs3、Cs4には平均的に（V2−V1）／3の電圧が充電されている。
【００３１】
セル回路Ａ１−Ｘ、回路Ａ２およびＬＣ直列体LC12で構成される列回路Ｘの動作について説明する。
高圧側MOSFETへのゲート信号GateH−Xによりセル回路Ａ１−Ｘおよび回路Ａ２の高圧側MOSFETであるMos1H−X、Mos2Hがオン状態となると、電圧差があるため、コンデンサCs2に蓄えられた一部のエネルギが、
Cs2⇒Mos2H⇒Lr12⇒Cr12⇒Mos1H−X
の経路でコンデンサCr12に移行する。
次いで、低圧側MOSFETへのゲート信号GateL−Xによりセル回路Ａ１−Ｘおよび回路Ａ２の低圧側MOSFETであるMos1L−X、Mos2Lがオン状態となると、電圧差があるため、平滑コンデンサCｒ12に充電されたエネルギが、
Cr12⇒Lr12⇒Mos2L⇒Cs1⇒Mos1L−X
の経路で平滑コンデンサCs1に移行する。
【００３２】
次に、セル回路Ａ１−Ｙ、回路Ａ３およびＬＣ直列体LC13で構成される列回路Ｙの動作について説明する。
高圧側MOSFETへのゲート信号GateH−Yによりセル回路Ａ１−Ｙおよび回路Ａ３の高圧側MOSFETであるMos1H−Y、Mos3Hがオン状態となると、電圧差があるため、平滑コンデンサCs2、Cs3に蓄えられた一部のエネルギが、
Cs2⇒Cs3⇒Mos3H⇒Lr13⇒Cr13⇒Mos1H−Y
の経路でコンデンサCr13に移行する。
次いで、低圧側MOSFETへのゲート信号GateL−Yによりセル回路Ａ１−Ｙおよび回路Ａ３の低圧側MOSFETであるMos1L−Y、Mos3Lがオン状態となると、電圧差があるため、コンデンサCr13に充電されたエネルギが、
Cr13⇒Lr13⇒Mos3H⇒Cs2⇒Cs1⇒Mos1L−Y
の経路で平滑コンデンサCs1、Cs2に移行する。
【００３３】
次に、セル回路Ａ１−Ｚ、回路Ａ４およびＬＣ直列体LC14で構成される列回路Ｚの動作について説明する。
高圧側MOSFETへのゲート信号GateH−Zによりセル回路Ａ１−Ｚおよび回路Ａ４の高圧側MOSFETであるMos1H−Z、Mos4Hがオン状態となると、電圧差があるため、平滑コンデンサCs2、Cs3、Cs4に蓄えられた一部のエネルギが、
Cs2⇒Cs3⇒Cs4⇒Mos4H⇒Lr14⇒Cr14⇒Mos1H−Z
の経路でコンデンサCr14に移行する。
次いで、低圧側MOSFETへのゲート信号GateL−Zによりセル回路Ａ１−Ｚおよび回路Ａ４の低圧側MOSFETであるMos1L−Z、Mos4Lがオン状態となると、電圧差があるため、コンデンサCr14に充電されたエネルギが、
Cr14⇒Lr14⇒Mos4L⇒Cs3⇒Cs2⇒Cs1⇒Mos1L−Z
の経路で平滑コンデンサCs1、Cs2、Cs3に移行する。
【００３４】
このように、コンデンサCr12、Cr13、Cr14の充放電により、平滑コンデンサCs2、Cs3、Cs4から平滑コンデンサCs1にエネルギを移行する。そして、電圧端子VHとVcom間に入力された電圧V2を、約1／4倍に降圧された電圧V1にして電圧端子VLとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
またこの実施の形態では、整流回路Ａ1内のセル回路Ａ１−Ｘ、Ａ１−Ｙ、Ａ１−ＺにMOSFETを用いたため、後述するダイオードを用いたものに比して導通損失が低減でき、電力変換の効率が向上できる。
【００３５】
以上のように各列回路Ｘ、Ｙ、Ｚは動作するものであるが、各列回路Ｘ、Ｙ、Ｚを駆動する駆動信号は、上記実施の形態１と同様に、周期をＴ（ＬＣ直列体にて定まる共振周期）として一致させると共に、各列回路間で位相をＴ／3（２π／３（rad））ずつずらして駆動する（図３参照）。これにより、上記実施の形態１と同様に、平滑コンデンサCs1、Cs2、Cs3、Cs4の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。このような平滑コンデンサのリプル電流低減により、上記実施の形態１と同様に、信頼性の向上、電力変換効率の向上、および装置構成の小型化が図れる。
【００３６】
なお、この実施の形態においても、列回路の個数および位相差は上述したものに限らず、列回路を複数（ｍ個）備えて位相を各列回路間でずらして駆動することにより、平滑コンデンサのリプル電流が減少する効果が得られる。また、各列回路の位相を２π／ｍ（rad）ずつずらすのが最も効果的であり、列回路の数を増加するほど平滑コンデンサに流れる電流が１周期内でさらに分散して発生するため、効果的にリプル電流が低減できる。
【００３７】
また、上記実施の形態１ではV1⇒V2の昇圧形ＤＣ／ＤＣ電力変換装置について示し、上記実施の形態２ではV2⇒V1の降圧形ＤＣ／ＤＣ電力変換装置について示したが、上記実施の形態１、２の機能を併せ持って双方向のエネルギ移行を実現することもできる。この場合、V1×４＞V2のとき昇圧動作を行い、昇圧時には回路Ａ１を駆動用インバータ回路に、回路Ａ２、Ａ３、Ａ４を整流回路に用いる。また、V1×４＜V2のときに降圧動作を行い、降圧時には回路Ａ２、Ａ３、Ａ４を駆動用インバータ回路に、回路Ａ１を整流回路に用いる。
このように制御される昇降圧形のＤＣ／ＤＣ電力変換装置では、上記実施の形態１、２と同様の効果が得られると共に、１つの装置で双方向のエネルギ移行を実現でき広く利用できる。
【００３８】
実施の形態３．
次に、この発明の実施の形態３によるＤＣ／ＤＣ電力変換装置について説明する。
図６はこの発明の実施の形態３によるＤＣ／ＤＣ電力変換装置の回路構成を示すものである。図に示すように、ＤＣ／ＤＣ電力変換装置は、２個のセル回路Ａ１−Ｘ、Ａ１−Ｙを並列接続した第１の回路としての回路Ａ１、および３個の第２の回路としての回路Ａ２〜Ａ４から成る４段の回路Ａ１〜Ａ４と、駆動用電源Vs1、Vs2、Vs3、Vs4と、入出力電圧を平滑化し、またエネルギ移行のための電圧源としても機能する平滑コンデンサCs1、Cs2、Cs3、Cs4と、制御回路130と、入出力電圧端子Vcom、VL、VHとを備える。そして、電圧端子VLとVcom間に入力された電圧V1を、約４倍に昇圧された電圧V2にして電圧端子VHとVcom間に出力する機能を有する。
【００３９】
各セル回路Ａ１−Ｘ、Ａ１−Ｙおよび第２の回路Ａ２〜Ａ４は、上記実施の形態１と同様に、低圧側素子、高圧側素子としての２つのMOSFETを直列接続して構成され、第１の回路Ａ１は、セル回路Ａ１−Ｘ、Ａ１−Ｙを並列接続して、平滑コンデンサCs1の両端子間に接続して構成される。また、各平滑コンデンサCs2、Cs3、Cs4の両端子間に接続した３つの回路Ａ２、Ａ３、Ａ４と回路Ａ１とを直列接続して４段回路が構成される。
そして、各セル回路Ａ１−Ｘ、Ａ１−Ｙおよび回路Ａ２、Ａ３、Ａ４内の２つのMOSFETの接続点を中間端子として、セル回路Ａ１−Ｘと２つの回路Ａ２、Ａ４との中間端子間に、コンデンサCr12、Cr14およびインダクタLr12、Lr14の直列体で構成されエネルギ移行素子として機能するＬＣ直列体LC12、LC14を接続する。また、セル回路Ａ１−Ｙと回路Ａ３との中間端子間に、コンデンサCr13およびインダクタLr13の直列体で構成されエネルギ移行素子として機能するＬＣ直列体LC13を接続する。各段のインダクタLrとコンデンサCrのインダクタンス値と容量値から定まる共振周期の値は、それぞれ等しくなるように設定されている。
【００４０】
これにより、セル回路Ａ１−Ｘ、回路Ａ２、Ａ４およびＬＣ直列体LC12、LC14で構成される列回路Ｘと、セル回路Ａ１−Ｙ、回路Ａ３およびＬＣ直列体LC13で構成される列回路Ｙとの２つの列回路Ｘ、ＹがＤＣ／ＤＣ電力変換装置内に構成される。
また、ＤＣ／ＤＣ電力変換装置は、各セル回路Ａ１−Ｘ、Ａ１−Ｙおよび回路Ａ２、Ａ３、Ａ４内のMOSFETを駆動するための、ゲート駆動回路111−X、111−Y、112〜114およびフォトカプラ（121L−X、121H−X）、（121L−Y、121H−Y）、（122L、122H）〜（124L、124H）を備える。
なお、各MOSFETは、ソース、ドレイン間に寄生ダイオードが形成されているパワーMOSFETである。
【００４１】
次に、動作について説明する。
第１の回路である回路Ａ１は、電圧端子VL−Vcom間に入力されるエネルギを高電圧側に送る駆動用インバータ回路として動作する。即ち、各セル回路Ａ１−Ｘ、Ａ１−Ｙが駆動用インバータ回路として用いられる。
列回路Ｘでは、セル回路Ａ１−Ｘが駆動用インバータ回路として動作し、回路Ａ２、Ａ４が整流回路として動作する。列回路Ｙでは、セル回路Ａ１−Ｙが駆動用インバータ回路として動作し、回路Ａ３が整流回路として動作する。
制御回路130から各列回路Ｘ、Ｙ毎にゲート信号（GateL−X、GateH−X）、（GateL−Y、GateH−Y）が出力され、これらのゲート信号により各列回路Ｘ、Ｙが駆動される。
列回路Ｘ、Ｙ毎のゲート信号（GateL−X、GateH−X）、（GateL−Y、GateH−Y）は上記実施の形態１と同様であり、各回路内のMOSFETに流れる電流とゲート信号との関係も上記実施の形態１の図２で示したものと同様である。
【００４２】
平滑コンデンサCs1、Cs2、Cs3、Cs4の容量値は、ＬＣ直列体のコンデンサCr12、Cr13、Cr14の容量値と比較して十分大きな値に設定される。
上述したように、電圧端子VL−Vcom間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs1には電圧V1の電圧が充電されており、平滑コンデンサCs2、Cs3、Cs4には平均的に（V2−V1）／3の電圧が充電されている。
【００４３】
セル回路Ａ１−Ｘ、回路Ａ２、Ａ４およびＬＣ直列体LC12、LC14で構成される列回路Ｘの動作について説明する。
低圧側MOSFETへのゲート信号GateL−Xにより、セル回路Ａ１−Ｘおよび回路Ａ２、Ａ４の低圧側MOSFETであるMos1L−X、Mos2L、Mos4Lがオン状態となると、電圧差があるため、平滑コンデンサCs1、Cs2、Cs3に蓄えられた一部のエネルギが、以下に示す経路でコンデンサCr12、Cr14に移行する。
Cs1⇒Mos2L⇒Lr12⇒Cr12⇒Mos1L−X
Cs1⇒Cs2⇒Cs3⇒Mos4L⇒Lr14⇒Cr14⇒Mos1L−X
次いで、高圧側MOSFETへのゲート信号GateH−Xにより、セル回路Ａ１−Ｘおよび回路Ａ２、Ａ４の高圧側MOSFETであるMos1H−X、Mos2H、Mos4Hがオン状態となると、電圧差があるため、コンデンサCr12、Cr14に充電されたエネルギが、以下に示す経路で平滑コンデンサCs2、Cs3、Cs4に移行する。
Mos1H−X⇒Cr12⇒Lr12⇒Mos2H⇒Cs2
Mos1H−X⇒Cr14⇒Lr14⇒Mos4H⇒Cs4⇒Cs3⇒Cs2
【００４４】
次に、セル回路Ａ１−Ｙ、回路Ａ３およびＬＣ直列体LC13で構成される列回路Ｙの動作について説明する。
低圧側MOSFETへのゲート信号GateL−Yにより、セル回路Ａ１−Ｙおよび回路Ａ３の低圧側MOSFETであるMos1L−Y、Mos3Lがオン状態となると、電圧差があるため、平滑コンデンサCs1、Cs2に蓄えられた一部のエネルギが、以下に示す経路でコンデンサCr13に移行する。
Cs1⇒Cs2⇒Mos3L⇒Lr13⇒Cr13⇒Mos1L−Y
次いで、高圧側MOSFETへのゲート信号GateH−Yにより、セル回路Ａ１−Ｙおよび回路Ａ３の高圧側MOSFETであるMos1H−Y、Mos3Hがオン状態となると、電圧差があるため、コンデンサCr13に充電されたエネルギが、以下に示す経路で平滑コンデンサCs2、Cs3に移行する。
Mos1H−Y⇒Cr13⇒Lr13⇒Mos3H⇒Cs3⇒Cs2
【００４５】
このように、コンデンサCr12、Cr13、Cr14の充放電により、平滑コンデンサCs1から平滑コンデンサCs2、Cs3、Cs4にエネルギを移行する。そして、電圧端子VLとVcom間に入力された電圧V1を、約４倍に昇圧された電圧V2にして電圧端子VHとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
またこの実施の形態でも、整流回路Ａ２〜Ａ４にMOSFETを用いたため、ダイオードを用いたものに比して導通損失が低減でき、電力変換の効率が向上できる。
【００４６】
以上のように各列回路Ｘ、Ｙは動作するものであるが、２つの列回路Ｘ、Ｙを備えたＤＣ／ＤＣ電力変換装置全体の動作について、以下に説明する。
図７に、各列回路Ｘ、Ｙ内の高圧側MOSFETを駆動するゲート信号GateH−X、GateH−Yを示す。図２を用いて示したように、このゲート信号GateH−X、GateH−Yの反転信号が、低圧側MOSFETを駆動するGateL−X、GateL−Yである。
図７に示すように、各列回路Ｘ、Ｙを駆動する駆動信号は、周期をＴ（ＬＣ直列体にて定まる共振周期）として一致させると共に、各列回路間で位相をＴ／2ずつずらして駆動している。
【００４７】
例えば、V1の電圧72V、入力直流電流75Aの条件における、平滑コンデンサCs1、Cs2、Cs3、Cs4に流れる電流を図８に示す。図には、２つの列回路間で位相をＴ／2ずらして駆動した場合、即ちこの実施の形態の場合の平滑コンデンサ電流と、比較例として位相をずらさない場合の平滑コンデンサ電流が示されている。縦軸は電流、横軸は時間である。  図８に示すように、位相をずらして駆動することにより、平滑コンデンサCs1、Cs2、Cs3のリプル電流が減少する。
【００４８】
以上のように、この実施の形態では、４段の回路Ａ１、Ａ２、Ａ３、Ａ４の内、駆動用インバータ回路として動作する第１の回路Ａ１を２個のセル回路Ａ１−Ｘ、Ａ１−Ｙを並列接続して構成することで、ＤＣ／ＤＣ電力変換装置内に２つの列回路Ｘ、Ｙを構成した。そして、各列回路Ｘ、Ｙを、駆動周期を一致させると共に各列回路間で位相を２π／２（rad）ずらして駆動した。これにより、平滑コンデンサCs1、Cs2、Cs3の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。
このような平滑コンデンサのリプル電流低減により、上記実施の形態１と同様に、信頼性の向上、電力変換効率の向上、および装置構成の小型化が図れる。
【００４９】
実施の形態４．
上記実施の形態３では、電圧V1を、約４倍の電圧V2に昇圧する昇圧形のＤＣ／ＤＣ電力変換装置について示したが、この実施の形態では、電圧V2から電圧V1に降圧する降圧形のＤＣ／ＤＣ電力変換装置について示す。
この実施の形態によるＤＣ／ＤＣ電力変換装置の回路構成は、図６で示す回路構成と同様であるが、この場合、各列回路Ｘ、Ｙ内の回路Ａ２、Ａ３、Ａ４は駆動用インバータ回路として動作し、回路Ａ１は、駆動用インバータ回路で駆動された電流を整流し、エネルギを低電圧側へ移行する整流回路として動作する。即ち、各セル回路Ａ１−Ｘ、Ａ１−Ｙが整流回路として用いられる。
列回路Ｘでは、回路Ａ２、Ａ４が駆動用インバータ回路として動作し、セル回路Ａ１−Ｘが整流回路として動作する。列回路Ｙでは、回路Ａ３が駆動用インバータ回路として動作し、セル回路Ａ１−Ｙが整流回路として動作する。
【００５０】
制御回路130から各列回路Ｘ、Ｙ毎にゲート信号（GateL−X、GateH−X）、（GateL−Y、GateH−Y）が出力され、これらゲート信号により各列回路Ｘ、Ｙが駆動される。
列回路Ｘ、Ｙ毎のゲート信号（GateL−X、GateH−X）、（GateL−Y、GateH−Y）は上記各実施の形態と同様であり、各回路内のMOSFETに流れる電流とゲート信号との関係も上記実施の形態２の図５で示したものと同様である。
【００５１】
平滑コンデンサCs1、Cs2、Cs3、Cs4の容量値は、ＬＣ直列体のコンデンサCr12、Cr13、Cr14の容量値と比較して十分大きな値に設定される。
電圧端子VH−Vcom間に入力された電圧V2を、約1／4倍に降圧された電圧V1にして電圧端子VL−Vcom間に出力するため、電圧端子VL−Vcom間に負荷が接続され、電圧V2は4×V1よりも高い値となっている。定常状態では、平滑コンデンサCs1には電圧V1の電圧が充電されており、平滑コンデンサCs2、Cs3、Cs4には平均的に（V2−V1）／3の電圧が充電されている。
【００５２】
セル回路Ａ１−Ｘ、回路Ａ２、Ａ４およびＬＣ直列体LC12、LC14で構成される列回路Ｘの動作について説明する。
高圧側MOSFETへのゲート信号GateH−Xにより、回路Ａ２、Ａ４およびセル回路Ａ１−Ｘの高圧側MOSFETであるMos2H、Mos4H、Mos1H−Xがオン状態となると、電圧差があるため、平滑コンデンサCs2、Cs3、Cs4に蓄えられた一部のエネルギが、以下に示す経路でコンデンサCr12、Cr14に移行する。
Cs2⇒Cs3⇒Cs4⇒Mos4H⇒Lr14⇒Cr14⇒Mos1H−X
Cs2⇒Mos2H⇒Lr12⇒Cr12⇒Mos1H−X
次いで、低圧側MOSFETへのゲート信号GateL−Xにより、回路Ａ２、Ａ４およびセル回路Ａ１−Ｘの低圧側MOSFETであるMos2L、Mos4L、Mos1L−Xがオン状態となると、電圧差があるため、コンデンサCr12、Cr14に充電されたエネルギが、以下に示す経路で平滑コンデンサCs1、Cs2、Cs3に移行する。
Cr14⇒Lr14⇒Mos4L⇒Cs3⇒Cs2⇒Cs1⇒Mos1L−X
Cr12⇒Lr12⇒Mos2L⇒Cs1⇒Mos1L−X
【００５３】
次に、セル回路Ａ１−Ｙ、回路Ａ３およびＬＣ直列体LC13で構成される列回路Ｙの動作について説明する。
高圧側MOSFETへのゲート信号GateH−Yにより、回路Ａ３およびセル回路Ａ１−Ｙの高圧側MOSFETであるMos3H、Mos1H−Yがオン状態となると、電圧差があるため、平滑コンデンサCs2、Cs3に蓄えられた一部のエネルギが、以下に示す経路でコンデンサCr13に移行する。
Cs2⇒Cs3⇒Mos3H⇒Lr13⇒Cr13⇒Mos1H−Y
次いで、低圧側MOSFETへのゲート信号GateL−Yにより、回路Ａ３およびセル回路Ａ１−Ｙの低圧側MOSFETであるMos3L、Mos1L−Yがオン状態となると、電圧差があるため、コンデンサCr13に充電されたエネルギが、以下に示す経路で平滑コンデンサCs1、Cs2に移行する。
Cr13⇒Lr13⇒Mos3L⇒Cs2⇒Cs1⇒Mos1L−Y
【００５４】
このように、コンデンサCr12、Cr13、Cr14の充放電により、平滑コンデンサCs2、Cs3、Cs4から平滑コンデンサCs1にエネルギを移行する。そして、電圧端子VHとVcom間に入力された電圧V2を、約1／4倍に降圧された電圧V1にして電圧端子VLとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
またこの実施の形態でも、整流回路Ａ1内のセル回路Ａ１−Ｘ、Ａ１−ＹにMOSFETを用いたため、ダイオードを用いたものに比して導通損失が低減でき、電力変換の効率が向上できる。
【００５５】
以上のように各列回路Ｘ、Ｙは動作するものであるが、各列回路Ｘ、Ｙを駆動する駆動信号は、上記実施の形態３と同様に、周期をＴ（ＬＣ直列体にて定まる共振周期）として一致させると共に、各列回路間で位相をＴ／2（２π／２（rad））ずらして駆動する（図７参照）。これにより、上記実施の形態３と同様に、平滑コンデンサCs1、Cs2、Cs3の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。このような平滑コンデンサのリプル電流低減により、上記実施の形態３と同様に、信頼性の向上、電力変換効率の向上、および装置構成の小型化が図れる。
【００５６】
上記実施の形態３、４では、２個の列回路間で位相を２π／２（rad）ずらして駆動することにより、効果的にリプル電流を低減したが、位相差はこれに限らず、列回路間で位相をずらすことによりリプル電流低減の効果がある。
【００５７】
また上記実施の形態３、４では、セル回路Ａ１−Ｘ、回路Ａ２、Ａ４およびＬＣ直列体LC12、LC14で構成される列回路Ｘと、セル回路Ａ１−Ｙ、回路Ａ３およびＬＣ直列体LC13で構成される列回路Ｙとの２つの列回路Ｘ、ＹをＤＣ／ＤＣ電力変換装置内に構成したが、２つの列回路の組み合わせはこれに限るものではない。例えば、セル回路Ａ１−Ｘ、回路Ａ２、Ａ３およびＬＣ直列体LC12、LC13による列回路と、セル回路Ａ１−Ｙ、回路Ａ４およびＬＣ直列体LC14による列回路の組み合わせ等でも良い。
【００５８】
また、上記実施の形態３ではV1⇒V2の昇圧形ＤＣ／ＤＣ電力変換装置について示し、上記実施の形態４ではV2⇒V1の降圧形ＤＣ／ＤＣ電力変換装置について示したが、上記実施の形態３、４の機能を併せ持って双方向のエネルギ移行を実現することもできる。この場合、V1×４＞V2のとき昇圧動作を行い、昇圧時には回路Ａ１を駆動用インバータ回路に、回路Ａ２、Ａ３、Ａ４を整流回路に用いる。また、V1×４＜V2のときに降圧動作を行い、降圧時には回路Ａ２、Ａ３、Ａ４を駆動用インバータ回路に、回路Ａ１を整流回路に用いる。
このように制御される昇降圧形のＤＣ／ＤＣ電力変換装置では、上記実施の形態３、４と同様の効果が得られると共に、１つの装置で双方向のエネルギ移行を実現でき広く利用できる。
【００５９】
実施の形態５．
次に、この発明の実施の形態５によるＤＣ／ＤＣ電力変換装置について説明する。
図９はこの発明の実施の形態５によるＤＣ／ＤＣ電力変換装置の回路構成を示すものである。図に示すように、ＤＣ／ＤＣ電力変換装置は、３個のセル回路Ａ１−Ｘ、Ａ１−Ｙ、Ａ１−Ｚを並列接続した第１の回路としての回路Ａ１、および３個の第２の回路としての回路Ａ２〜Ａ４から成る４段の回路Ａ１〜Ａ４と、駆動用電源Vs1と、入出力電圧を平滑化し、またエネルギ移行のための電圧源としても機能する平滑コンデンサCs1、Cs2、Cs3、Cs4と、制御回路130と、入出力電圧端子Vcom、VL、VHとを備える。そして、電圧端子VLとVcom間に入力された電圧V1を、約４倍に昇圧された電圧V2にして電圧端子VHとVcom間に出力する機能を有する。
【００６０】
各セル回路Ａ１−Ｘ、Ａ１−Ｙ、Ａ１−Ｚは、上記実施の形態１と同様に、低圧側素子、高圧側素子としての２つのMOSFETを直列接続して構成され、第１の回路Ａ１は、セル回路Ａ１−Ｘ、Ａ１−Ｙ、Ａ１−Ｚを並列接続して、平滑コンデンサCs1の両端子間に接続して構成される駆動用インバータ回路である。回路Ａ２〜Ａ４は、低圧側素子、高圧側素子として２つのダイオード（Di2L、Di2H）（Di3L、Di3H）（Di4L、Di4H）をそれぞれ直列接続して各平滑コンデンサCs2、Cs3、Cs4の両端子間に接続して構成される整流回路である。また、３つの回路Ａ２、Ａ３、Ａ４と回路Ａ１とを直列接続して４段回路が構成される。
【００６１】
そして、各セル回路Ａ１−Ｘ、Ａ１−Ｙ、Ａ１−Ｚおよび回路Ａ２、Ａ３、Ａ４内の２つの素子（MOSFETあるいはダイオード）の接続点を中間端子として、セル回路Ａ１−Ｘと回路Ａ２との中間端子間に、コンデンサCr12およびインダクタLr12の直列体で構成されエネルギ移行素子として機能するＬＣ直列体LC12を接続する。同様に、セル回路Ａ１−Ｙと回路Ａ３との中間端子間、セル回路Ａ１−Ｚと回路Ａ４との中間端子間に、コンデンサCr13、Cr14およびインダクタLr13、Lr14の直列体で構成されエネルギ移行素子として機能するＬＣ直列体LC13、LC14を接続する。各段のインダクタLrとコンデンサCrのインダクタンス値と容量値から定まる共振周期の値は、それぞれ等しくなるように設定されている。
これにより、セル回路Ａ１−Ｘ、回路Ａ２およびＬＣ直列体LC12で構成される列回路Ｘと、セル回路Ａ１−Ｙ、回路Ａ３およびＬＣ直列体LC13で構成される列回路Ｙと、セル回路Ａ１−Ｚ、回路Ａ４およびＬＣ直列体LC14で構成される列回路Ｚとの３つの列回路Ｘ、Ｙ、ＺがＤＣ／ＤＣ電力変換装置内に構成される。
【００６２】
また、ＤＣ／ＤＣ電力変換装置は、各セル回路Ａ１−Ｘ、Ａ１−Ｙ、Ａ１−Ｚ内のMOSFETを駆動するための、ゲート駆動回路111−X、111−Y、111−Zおよびフォトカプラ（121L−X、121H−X）、（121L−Y、121H−Y）、（121L−Z、121H−Z）を備える。
なお、各MOSFETは、ソース、ドレイン間に寄生ダイオードが形成されているパワーMOSFETである。
【００６３】
次に、動作について説明する。
上記実施の形態１と同様に、列回路Ｘでは、セル回路Ａ１−Ｘが駆動用インバータ回路として動作し、回路Ａ２が整流回路として動作する。列回路Ｙでは、セル回路Ａ１−Ｙが駆動用インバータ回路として動作し、回路Ａ３が整流回路として動作する。列回路Ｚでは、セル回路Ａ１−Ｚが駆動用インバータ回路として動作し、回路Ａ４が整流回路として動作する。
制御回路130から各列回路Ｘ、Ｙ、Ｚ毎にゲート信号（GateL−X、GateH−X）、（GateL−Y、GateH−Y）、（GateL−Z、GateH−Z）が出力され、これらのゲート信号により各列回路Ｘ、Ｙ、Ｚが駆動される。
列回路Ｘ、Ｙ、Ｚ毎のゲート信号（GateL−X、GateH−X）、（GateL−Y、GateH−Y）、（GateL−Z、GateH−Z）は上記各実施の形態と同様であり、各回路内のMOSFETに流れる電流とゲート信号との関係も上記実施の形態１の図２で示したものと同様である。
【００６４】
平滑コンデンサCs1、Cs2、Cs3、Cs4の容量値は、ＬＣ直列体のコンデンサCr12、Cr13、Cr14の容量値と比較して十分大きな値に設定される。
上述したように、電圧端子VL−Vcom間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs1には電圧V1の電圧が充電されており、平滑コンデンサCs2、Cs3、Cs4には平均的に（V2−V1）／3の電圧が充電されている。
【００６５】
セル回路Ａ１−Ｘ、回路Ａ２およびＬＣ直列体LC12で構成される列回路Ｘの動作について説明する。
低圧側MOSFETへのゲート信号GateL−Xによりセル回路Ａ１−ＸのMos1L−Xがオン状態となると、電圧差があるため、平滑コンデンサCs1に蓄えられた一部のエネルギが、
Cs1⇒Di2L⇒Lr12⇒Cr12⇒Mos1L−X
の経路でコンデンサCr12に移行する。
次いで、高圧側MOSFETへのゲート信号GateH−Xによりセル回路Ａ１−ＸのMos1H−Xがオン状態となると、電圧差があるため、コンデンサCr12に充電されたエネルギが、
Cr12⇒Lr12⇒Di2H⇒Cs2⇒Mos1H−X
の経路で平滑コンデンサCs2に移行する。
【００６６】
次に、セル回路Ａ１−Ｙ、回路Ａ３およびＬＣ直列体LC13で構成される列回路Ｙの動作について説明する。
低圧側MOSFETへのゲート信号GateL−Yによりセル回路Ａ１−ＹのMos1L−Yがオン状態となると、電圧差があるため、平滑コンデンサCs1、Cs2に蓄えられた一部のエネルギが、
Cs1⇒Cs2⇒Di3L⇒Lr13⇒Cr13⇒Mos1L−Y
の経路でコンデンサCr13に移行する。
次いで、高圧側MOSFETへのゲート信号GateH−Yによりセル回路Ａ１−ＹのMos1H−Yがオン状態となると、電圧差があるため、コンデンサCr13に充電されたエネルギが、
Cr13⇒Lr13⇒Di3H⇒Cs3⇒Cs2⇒Mos1H−Y
の経路で平滑コンデンサCs2、Cs3に移行する。
【００６７】
次に、セル回路Ａ１−Ｚ、回路Ａ４およびＬＣ直列体LC14で構成される列回路Ｚの動作について説明する。
低圧側MOSFETへのゲート信号GateL−Zによりセル回路Ａ１−ＺのMos1L−Zがオン状態となると、電圧差があるため、平滑コンデンサCs1、Cs2、Cs3に蓄えられた一部のエネルギが、
Cs1⇒Cs2⇒Cs3⇒Di4L⇒Lr14⇒Cr14⇒Mos1L−Z
の経路でコンデンサCr14に移行する。
次いで、高圧側MOSFETへのゲート信号GateH−Zによりセル回路Ａ１−ＺのMos1H−Zがオン状態となると、電圧差があるため、コンデンサCr14に充電されたエネルギが、
Cr14⇒Lr14⇒Di4H⇒Cs4⇒Cs3⇒Cs2⇒Mos1H−Z
の経路で平滑コンデンサCs2、Cs3、Cs4に移行する。
【００６８】
このように、コンデンサCr12、Cr13、Cr14の充放電により、平滑コンデンサCs1から平滑コンデンサCs2、Cs3、Cs4にエネルギを移行する。そして、電圧端子VLとVcom間に入力された電圧V1を、約４倍に昇圧された電圧V2にして電圧端子VHとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
また、この実施の形態では、整流回路Ａ２〜Ａ４にダイオードを用いたため、MOSFETを用いたものに比して導通損失が増大するが、駆動用の電源や回路が不要になる。
【００６９】
以上のように各列回路Ｘ、Ｙ、Ｚは動作するものであるが、各列回路Ｘ、Ｙ、Ｚを駆動する駆動信号は、上記実施の形態１と同様に、周期をＴ（ＬＣ直列体にて定まる共振周期）として一致させると共に、各列回路間で位相をＴ／3ずつずらして駆動している（図３参照）。これにより、上記実施の形態１と同様に、平滑コンデンサCs1、Cs2、Cs3、Cs4の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。また、このような平滑コンデンサのリプル電流低減により、上記実施の形態１と同様に、信頼性の向上、電力変換効率の向上、および装置構成の小型化が図れる。
【００７０】
なお、この実施の形態では、４段の回路Ａ１〜Ａ４の内、整流回路Ａ２〜Ａ４を構成する素子にダイオードを用いたＤＣ／ＤＣ電力変換装置内に３つの列回路を備えたが、上記実施の形態３と同様に、回路Ａ１を２つのセル回路で構成してＤＣ／ＤＣ電力変換装置内に２つの列回路を備えるようにしても良い。その場合、各列回路を駆動する駆動信号は、周期をＴとして一致させると共に、各列回路間で位相をＴ／2ずらして駆動することにより、平滑コンデンサCs1、Cs2、Cs3に流れる交流電流（リプル電流）が効果的に低減できる。
【００７１】
また、ダイオードを用いた整流回路は３個以外の複数個でも良く、駆動用インバータ回路として動作する第１の回路Ａ１と整流回路Ａ２〜Ａｎとのｎ段の回路Ａ１〜Ａｎを備えて昇圧比ｎであるＤＣ／ＤＣ電力変換装置において、第１の回路Ａ１を（ｎ−１）個のセル回路を並列接続して構成し、ＤＣ／ＤＣ電力変換装置内に（ｎ−１）個の列回路を構成しても良い。その場合、各列回路を、駆動周期を一致させると共に各列回路毎に２π／（ｎ−１）（rad）ずつ位相をずらして駆動することにより、平滑コンデンサのリプル電流が減少する効果が得られる。また、列回路の数を増加するほど平滑コンデンサに流れる電流が１周期内でさらに分散して発生するため、効果的にリプル電流が低減できる。
また、列回路の個数をｍとすると、各列回路間で２π／ｍ（rad）ずつ位相をずらして駆動するのが最も効果的であるが、位相差は、これに限らず、各列回路間で位相をずらすことにより、平滑コンデンサへの充放電電流を列回路間で融通し合えるため、リプル電流低減の効果がある。
【００７２】
実施の形態６．
次に、この発明の実施の形態５によるＤＣ／ＤＣ電力変換装置について説明する。
図１０はこの発明の実施の形態５によるＤＣ／ＤＣ電力変換装置の回路構成を示すものである。図に示すように、ＤＣ／ＤＣ電力変換装置は、３個のセル回路Ａ１−Ｘ、Ａ１−Ｙ、Ａ１−Ｚを並列接続した第１の回路としての回路Ａ１、および３個の第２の回路としての回路Ａ２〜Ａ４から成る４段の回路Ａ１〜Ａ４と、駆動用電源Vs2、Vs3、Vs4と、入出力電圧を平滑化し、またエネルギ移行のための電圧源としても機能する平滑コンデンサCs1、Cs2、Cs3、Cs4と、制御回路130と、入出力電圧端子Vcom、VL、VHとを備える。そして、電圧端子VH−Vcom間に入力された電圧V2を、約1／4倍に降圧された電圧V1にして電圧端子VL−Vcom間に出力する機能を有する。
【００７３】
第２の回路Ａ２〜Ａ４は、低圧側素子、高圧側素子としての２つのMOSFET（Mos2L、Mos2H）（Mos3L、Mos3H）（Mos4L、Mos4H）を直列接続して、各平滑コンデンサCs2、Cs3、Cs4の両端子間に接続して構成される駆動用インバータ回路である。各セル回路Ａ１−Ｘ、Ａ１−Ｙ、Ａ１−Ｚは、低圧側素子、高圧側素子としての２つのダイオード（Di1L−X、Di1H−X）（Di1L−Y、Di1H−Y）（Di1L−Z、Di1H−Z）をそれぞれ直列接続して構成され、第１の回路Ａ１は、セル回路Ａ１−Ｘ、Ａ１−Ｙ、Ａ１−Ｚを並列接続して、平滑コンデンサCs1の両端子間に接続して構成される整流回路である。また、３つの回路Ａ２、Ａ３、Ａ４と回路Ａ１とを直列接続して４段回路が構成される。
【００７４】
そして、各セル回路Ａ１−Ｘ、Ａ１−Ｙ、Ａ１−Ｚおよび回路Ａ２、Ａ３、Ａ４内の２つの素子（MOSFETあるいはダイオード）の接続点を中間端子として、セル回路Ａ１−Ｘと回路Ａ２との中間端子間に、コンデンサCr12およびインダクタLr12の直列体で構成されエネルギ移行素子として機能するＬＣ直列体LC12を接続する。同様に、セル回路Ａ１−Ｙと回路Ａ３との中間端子間、セル回路Ａ１−Ｚと回路Ａ４との中間端子間に、コンデンサCr13、Cr14およびインダクタLr13、Lr14の直列体で構成されエネルギ移行素子として機能するＬＣ直列体LC13、LC14を接続する。各段のインダクタLrとコンデンサCrのインダクタンス値と容量値から定まる共振周期の値は、それぞれ等しくなるように設定されている。
これにより、セル回路Ａ１−Ｘ、回路Ａ２およびＬＣ直列体LC12で構成される列回路Ｘと、セル回路Ａ１−Ｙ、回路Ａ３およびＬＣ直列体LC13で構成される列回路Ｙと、セル回路Ａ１−Ｚ、回路Ａ４およびＬＣ直列体LC14で構成される列回路Ｚとの３つの列回路Ｘ、Ｙ、ＺがＤＣ／ＤＣ電力変換装置内に構成される。
【００７５】
また、ＤＣ／ＤＣ電力変換装置は、各第２の回路Ａ２、Ａ３、Ａ４内のMOSFETを駆動するための、ゲート駆動回路112、113、114およびフォトカプラ（122L、122H）、（123L、123H）、（124L、124H）を備える。
なお、各MOSFETは、ソース、ドレイン間に寄生ダイオードが形成されているパワーMOSFETである。
【００７６】
次に、動作について説明する。
上記実施の形態２と同様に、列回路Ｘでは、回路Ａ２が駆動用インバータ回路として動作し、セル回路Ａ１−Ｘが整流回路として動作する。列回路Ｙでは、回路Ａ３が駆動用インバータ回路として動作し、セル回路Ａ１−Ｙが整流回路として動作する。列回路Ｚでは、回路Ａ４が駆動用インバータ回路として動作し、セル回路Ａ１−Ｚが整流回路として動作する。
制御回路130から各列回路Ｘ、Ｙ、Ｚ毎にゲート信号（GateL−X、GateH−X）、（GateL−Y、GateH−Y）、（GateL−Z、GateH−Z）が出力され、これらゲート信号により各列回路Ｘ、Ｙ、Ｚが駆動される。
列回路Ｘ、Ｙ、Ｚ毎のゲート信号（GateL−X、GateH−X）、（GateL−Y、GateH−Y）、（GateL−Z、GateH−Z）は上記各実施の形態と同様であり、各回路内のMOSFETに流れる電流とゲート信号との関係も上記実施の形態２の図５で示したものと同様である。
【００７７】
平滑コンデンサCs1、Cs2、Cs3、Cs4の容量値は、ＬＣ直列体のコンデンサCr12、Cr13、Cr14の容量値と比較して十分大きな値に設定される。
電圧端子VH−Vcom間に入力された電圧V2を、約1／4倍に降圧された電圧V1にして電圧端子VL−Vcom間に出力するため、電圧端子VL−Vcom間に負荷が接続され、電圧V2は4×V1よりも高い値となっている。定常状態では、平滑コンデンサCs1には電圧V1の電圧が充電されており、平滑コンデンサCs2、Cs3、Cs4には平均的に（V2−V1）／3の電圧が充電されている。
【００７８】
セル回路Ａ１−Ｘ、回路Ａ２およびＬＣ直列体LC12で構成される列回路Ｘの動作について説明する。
高圧側MOSFETへのゲート信号GateH−Xにより回路Ａ２のMos2Hがオン状態となると、電圧差があるため、コンデンサCs2に蓄えられた一部のエネルギが、
Cs2⇒Mos2H⇒Lr12⇒Cr12⇒Di1H−X
の経路でコンデンサCr12に移行する。
次いで、低圧側MOSFETへのゲート信号GateL−Xにより回路Ａ２のMos2Lがオン状態となると、電圧差があるため、平滑コンデンサCr12に充電されたエネルギが、
Cr12⇒Lr12⇒Mos2L⇒Cs1⇒Di1L−X
の経路で平滑コンデンサCs1に移行する。
【００７９】
次に、セル回路Ａ１−Ｙ、回路Ａ３およびＬＣ直列体LC13で構成される列回路Ｙの動作について説明する。
高圧側MOSFETへのゲート信号GateH−Yにより回路Ａ３のMos3Hがオン状態となると、電圧差があるため、平滑コンデンサCs2、Cs3に蓄えられた一部のエネルギが、
Cs2⇒Cs3⇒Mos3H⇒Lr13⇒Cr13⇒Di1H−Y
の経路でコンデンサCr13に移行する。
次いで、低圧側MOSFETへのゲート信号GateL−Yにより回路Ａ３のMos3Lがオン状態となると、電圧差があるため、コンデンサCr13に充電されたエネルギが、
Cr13⇒Lr13⇒Mos3H⇒Cs2⇒Cs1⇒Di1L−Y
の経路で平滑コンデンサCs1、Cs2に移行する。
【００８０】
次に、セル回路Ａ１−Ｚ、回路Ａ４およびＬＣ直列体LC14で構成される列回路Ｚの動作について説明する。
高圧側MOSFETへのゲート信号GateH−Zにより回路Ａ４のMos4Hがオン状態となると、電圧差があるため、平滑コンデンサCs2、Cs3、Cs4に蓄えられた一部のエネルギが、
Cs2⇒Cs3⇒Cs4⇒Mos4H⇒Lr14⇒Cr14⇒Di1H−Z
の経路でコンデンサCr14に移行する。
次いで、低圧側MOSFETへのゲート信号GateL−Zにより回路Ａ４のMos4Lがオン状態となると、電圧差があるため、コンデンサCr14に充電されたエネルギが、
Cr14⇒Lr14⇒Mos4L⇒Cs3⇒Cs2⇒Cs1⇒Di1L−Z
の経路で平滑コンデンサCs1、Cs2、Cs3に移行する。
【００８１】
このように、コンデンサCr12、Cr13、Cr14の充放電により、平滑コンデンサCs2、Cs3、Cs4から平滑コンデンサCs1にエネルギを移行する。そして、電圧端子VHとVcom間に入力された電圧V2を、約1／4倍に降圧された電圧V1にして電圧端子VLとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
また、この実施の形態では、整流回路Ａ1内のセル回路Ａ１−Ｘ、Ａ１−Ｙ、Ａ１−Ｚににダイオードを用いたため、MOSFETを用いたものに比して導通損失が増大するが、駆動用の電源や回路が不要になる。
【００８２】
以上のように各列回路Ｘ、Ｙ、Ｚは動作するものであるが、各列回路Ｘ、Ｙ、Ｚを駆動する駆動信号は、上記実施の形態１、２と同様に、周期をＴ（ＬＣ直列体にて定まる共振周期）として一致させると共に、各列回路間で位相をＴ／3ずつずらして駆動している（図３参照）。これにより、上記実施の形態２と同様に、平滑コンデンサCs1、Cs2、Cs3、Cs4の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。また、このような平滑コンデンサのリプル電流低減により、上記実施の形態２と同様に、信頼性の向上、電力変換効率の向上、および装置構成の小型化が図れる。
【００８３】
なお、この実施の形態では、４段の回路Ａ１〜Ａ４の内、整流回路Ａ１を構成する素子にダイオードを用いたＤＣ／ＤＣ電力変換装置内に３つの列回路を備えたが、上記実施の形態４と同様に、回路Ａ１を２つのセル回路で構成してＤＣ／ＤＣ電力変換装置内に２つの列回路を備えるようにしても良い。その場合、各列回路を駆動する駆動信号は、周期をＴとして一致させると共に、各列回路間で位相をＴ／2ずらして駆動することにより、平滑コンデンサCs1、Cs2、Cs3に流れる交流電流（リプル電流）が効果的に低減できる。
【００８４】
また、列回路の個数は３個に限るものではなく、整流回路として動作する第１の回路Ａ１と整流回路Ａ２〜Ａｎとのｎ段の回路Ａ１〜Ａｎを備えて降圧比ｎであるＤＣ／ＤＣ電力変換装置において、第１の回路Ａ１を、ダイオード素子を用いた（ｎ−１）個のセル回路を並列接続して構成し、ＤＣ／ＤＣ電力変換装置内に（ｎ−１）個の列回路を構成しても良い。その場合、各列回路を、駆動周期を一致させると共に各列回路毎に２π／（ｎ−１）（rad）ずつ位相をずらして駆動することにより、平滑コンデンサのリプル電流が減少する効果が得られる。また、列回路の数を増加するほど平滑コンデンサに流れる電流が１周期内でさらに分散して発生するため、効果的にリプル電流が低減できる。
また、列回路の個数をｍとすると、各列回路間で２π／ｍ（rad）ずつ位相をずらして駆動するのが最も効果的であるが、位相差は、これに限らず、各列回路間で位相をずらすことにより、平滑コンデンサへの充放電電流を列回路間で融通し合えるため、リプル電流低減の効果がある。
【００８５】
実施の形態７．
次に、この発明の実施の形態７によるＤＣ／ＤＣ電力変換装置について説明する。
図１１はこの発明の実施の形態７によるＤＣ／ＤＣ電力変換装置の回路構成を示すものである。図に示すように、ＤＣ／ＤＣ電力変換装置は、２個のセル回路Ｂ２−Ｘ、Ｂ２−Ｙを並列接続した第１の回路としての回路Ｂ２、および３個の第２の回路としての回路Ｂ１、Ｂ３、Ｂ４から成る４段の回路Ｂ１〜Ｂ４と、駆動用電源Vs1、Vs2、Vs3、Vs4と、入出力電圧を平滑化し、またエネルギ移行のための電圧源としても機能する平滑コンデンサCs1、Cs2、Cs3、Cs4と、制御回路130と、入出力電圧端子Vcom、VLl、VLh、VHとを備える。そして、電圧端子VLhとVLl間に入力された電圧V1を、約４倍に昇圧された電圧V2にして電圧端子VHとVcom間に出力する機能を有する。
【００８６】
回路Ｂ２は、低圧側素子、高圧側素子としての２つのMOSFET（Mos2L−X、Mos2H−X）（Mos2L−Y、Mos2H−Y）を直列接続したセル回路Ｂ２−Ｘ、Ｂ２−Ｙを並列接続して、平滑コンデンサCs2の両端子間に接続して構成される。回路Ｂ１、Ｂ３、Ｂ４は、低圧側素子、高圧側素子としての２つのMOSFET（Mos1L、Mos1H）（Mos3L、Mos3H）（Mos4L、Mos4H）を直列接続して、各平滑コンデンサCs1、Cs3、Cs4の両端子間に接続して構成される。また、３つの回路Ｂ１、Ｂ３、Ｂ４と回路Ｂ２とを、Ｂ１、Ｂ２、Ｂ３、Ｂ４の順に直列接続して４段回路が構成される。
そして、各セル回路Ｂ２−Ｘ、Ｂ２−Ｙおよび第２の回路Ｂ１、Ｂ３、Ｂ４内の２つのMOSFETの接続点を中間端子として、セル回路Ｂ２−Ｘと２つの回路Ｂ１、Ｂ３との中間端子間に、エネルギ移行用のコンデンサCr21、Cr23およびインダクタLr21、Lr23の直列体で構成されエネルギ移行素子として機能するＬＣ直列体LC21、LC23を接続する。また、セル回路Ｂ２−Ｙと回路Ｂ４との中間端子間に、エネルギ移行用のコンデンサCr24およびインダクタLr24の直列体で構成されエネルギ移行素子として機能するＬＣ直列体LC24を接続する。各段のインダクタLrとコンデンサCrのインダクタンス値と容量値から定まる共振周期の値は、それぞれ等しくなるように設定されている。
【００８７】
これにより、セル回路Ｂ２−Ｘ、回路Ｂ１、Ｂ３およびＬＣ直列体LC21、LC23で構成される列回路Ｘと、セル回路Ｂ２−Ｙ、回路Ｂ４およびＬＣ直列体LC24で構成される列回路Ｙとの２つの列回路Ｘ、ＹがＤＣ／ＤＣ電力変換装置内に構成される。
また、ＤＣ／ＤＣ電力変換装置は、各セル回路Ｂ２−Ｘ、Ｂ２−Ｙおよび回路Ｂ１、Ｂ３、Ｂ４内のMOSFETを駆動するための、ゲート駆動回路112−X、112−Y、111、113、114およびフォトカプラ（122L−X、122H−X）、（122L−Y、122H−Y）、（121L、121H）、（123L、123H）、（124L、124H）を備える。
なお、各MOSFETは、ソース、ドレイン間に寄生ダイオードが形成されているパワーMOSFETである。
この実施の形態では、２個のセル回路Ｂ２−Ｘ、Ｂ２−Ｙで構成される第１の回路Ｂ２は、他の回路に挟まれた中間に位置する回路であり、このような中間に位置する第１の回路の平滑コンデンサCs2の正負端子に電圧端子VLh、VLlを接続して電圧V1が入力される。
【００８８】
次に、動作について説明する。
第１の回路である回路Ｂ２は、電圧端子VLh−VLl間に入力されるエネルギを、回路Ｂ２を構成する各セル回路Ｂ２−Ｘ、Ｂ２−Ｙ内のMOSFETのオンオフ動作により高電圧側に送る駆動用インバータ回路として動作する。即ち、各セル回路Ｂ２−Ｘ、Ｂ２−Ｙが駆動用インバータ回路として用いられる。
列回路Ｘでは、セル回路Ｂ２−Ｘが駆動用インバータ回路として動作し、回路Ｂ３、Ｂ４が整流回路として動作する。列回路Ｙでは、セル回路Ｂ２−Ｙが駆動用インバータ回路として動作し、回路Ｂ３が整流回路として動作する。
制御回路130から各列回路Ｘ、Ｙ毎にゲート信号（GateL−X、GateH−X）、（GateL−Y、GateH−Y）が出力され、これらのゲート信号により各列回路Ｘ、Ｙが駆動される。
列回路Ｘ、Ｙ毎のゲート信号（GateL−X、GateH−X）、（GateL−Y、GateH−Y）は上記各実施の形態と同様であり、各回路内のMOSFETに流れる電流とゲート信号との関係も上記実施の形態１の図２で示したものと同様である。
【００８９】
平滑コンデンサCs1、Cs2、Cs3、Cs4の容量値は、ＬＣ直列体のコンデンサCr21、Cr23、Cr24の容量値と比較して十分大きな値に設定される。
上述したように、電圧端子VLh−VLl間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs2には電圧V1の電圧が充電されており、平滑コンデンサCs1、Cs3、Cs4には平均的に（V2−V1）／3の電圧が充電されている。
【００９０】
セル回路Ｂ２−Ｘ、回路Ｂ１、Ｂ３およびＬＣ直列体LC21、LC23で構成される列回路Ｘの動作について説明する。
低圧側MOSFETへのゲート信号GateL−Xにより、セル回路Ｂ２−Ｘおよび回路Ｂ１、Ｂ３の低圧側MOSFETであるMos2L−X、Mos1L、Mos3Lがオン状態となると、電圧差があるため、コンデンサCr21に充電されたエネルギが平滑コンデンサCs1に、平滑コンデンサCs2に蓄えられた一部のエネルギがコンデンサCr23に、以下に示す経路で移行する。
Mos1L⇒Cr21⇒Lr21⇒Mos2L−X⇒Cs1
Cs2⇒Mos3L⇒Lr23⇒Cr23⇒Mos2L−X
次いで、高圧側MOSFETへのゲート信号GateH−Xにより、セル回路Ｂ２−Ｘおよび回路Ｂ１、Ｂ３の高圧側MOSFETであるMos1H−X、Mos1H、Mos3Hがオン状態となると、電圧差があるため、平滑コンデンサCs2に蓄えられていた一部のエネルギがコンデンサCr21に、コンデンサCr23に充電されたエネルギが平滑コンデンサCs3に、以下に示す経路で移行する。
Cs2⇒Mos2H−X⇒Lr21⇒Cr21⇒Mos1H
Cs2⇒Mos2H−X⇒Cr23⇒Lr23⇒Mos3H⇒Cs3
【００９１】
次に、セル回路Ｂ２−Ｙ、回路Ｂ４およびＬＣ直列体LC24で構成される列回路Ｙの動作について説明する。
低圧側MOSFETへのゲート信号GateL−Yにより、セル回路Ｂ２−Ｙおよび回路Ｂ４の低圧側MOSFETであるMos2L−Y、Mos4Lがオン状態となると、電圧差があるため、平滑コンデンサCs2、Cs3に蓄えられた一部のエネルギが、以下に示す経路でコンデンサCr24に移行する。
Cs2⇒Cs3⇒Mos4L⇒Lr24⇒Cr24⇒Mos2L−Y
次いで、高圧側MOSFETへのゲート信号GateH−Yにより、セル回路Ｂ２−Ｙおよび回路Ｂ４の高圧側MOSFETであるMos2H−Y、Mos4Hがオン状態となると、電圧差があるため、コンデンサCr24に充電されたエネルギが、以下に示す経路で平滑コンデンサCs3、Cs4に移行する。
Mos2H−Y⇒Cr24⇒Lr24⇒Mos4H⇒Cs4⇒Cs3
【００９２】
このように、コンデンサCr21、Cr23、Cr24の充放電により、平滑コンデンサCs2から平滑コンデンサCs1、Cs3、Cs4にエネルギを移行する。そして、電圧端子VLhとVLl間に入力された電圧V1を、約４倍に昇圧された電圧V2にして電圧端子VHとVcom間に出力する。また、各コンデンサCr21、Cr23、Cr24には、インダクタLr21、Lr23、Lr24が直列に接続されてＬＣ直列体LC21、LC23、LC24を構成するため、上記エネルギの移行は共振現象を利用したものとなり、大きなエネルギ量を効率よく移行できる。
また、この実施の形態では、整流回路Ｂ１、Ｂ３、Ｂ４にMOSFETを用いたため、ダイオードを用いたものに比して導通損失が低減でき、電力変換の効率が向上できる。
【００９３】
以上のように各列回路Ｘ、Ｙは動作するものであるが、各列回路Ｘ、Ｙを駆動する駆動信号は、上記実施の形態３と同様に、周期をＴ（ＬＣ直列体にて定まる共振周期）として一致させると共に、各列回路間で位相をＴ／2ずらして駆動している（図７参照）。
これにより、平滑コンデンサCs1、Cs2、Cs3、Cs4の充放電タイミングがずれ、この場合、平滑コンデンサCs3に流れる電流が１周期内で分散して発生すると共に、充放電電流を列回路間で融通し合うため、平滑コンデンサCs3に流れる交流電流（リプル電流）が大きく低減する。平滑コンデンサCs1、Cs2、Cs4については、位相をずらさずに駆動した場合とリプル電流は同程度である。
また、このような平滑コンデンサのリプル電流低減により、信頼性の向上、電力変換効率の向上、および装置構成の小型化が図れる。
【００９４】
上記実施の形態では、セル回路Ｂ２−Ｘ、回路Ｂ１、Ｂ３およびＬＣ直列体LC21、LC23で構成される列回路Ｘと、セル回路Ｂ２−Ｙ、回路Ｂ４およびＬＣ直列体LC24で構成される列回路Ｙとの２つの列回路Ｘ、ＹをＤＣ／ＤＣ電力変換装置内に構成したが、２つの列回路の組み合わせはこれに限るものではない。また、列回路の個数も３個以上としても良い。その場合も、他の回路に挟まれた中間に位置する回路を複数（ｍ個）のセル回路の並列構成による第１の回路とし、該第１の回路に接続される平滑コンデンサの正負端子に電圧端子を接続し、ｍ個の列回路を構成する。そして、各列回路を駆動する駆動信号は、周期を一致させると共に、各列回路間で位相を２π／ｍ（rad）ずつずらして駆動することにより、平滑コンデンサに流れる交流電流（リプル電流）が効果的に低減できる。
なお、位相差は、これに限らず、各列回路間で位相をずらすことにより、平滑コンデンサへの充放電電流を列回路間で融通し合えるため、リプル電流低減の効果がある。
【００９５】
また、この実施の形態では、電圧端子VLh−VLl間に入力される電圧V1を約4倍に昇圧して、電圧端子VH−Vcom間に電圧V2として出力するＤＣ／ＤＣ電力変換装置について説明したが、実施の形態２や４のように、電圧V2からV2の約1／4の電圧V1へ降圧する動作も可能である。さらに、V1×４＞V2のとき昇圧動作を行い、V1×４＜V2のときに降圧動作を行うようにして双方向のエネルギ移行を実現することもできる。
【００９６】
また、この実施の形態では、整流回路Ｂ１、Ｂ３、Ｂ４にMOSFETを用いたが、実施の形態５、６のように整流回路をダイオードで構成してもよい。
【００９７】
実施の形態８．
次に、この発明の実施の形態８によるＤＣ／ＤＣ電力変換装置について説明する。
図１２はこの発明の実施の形態８によるＤＣ／ＤＣ電力変換装置の回路構成を示すものである。図に示すように、ＤＣ／ＤＣ電力変換装置は、２個のセル回路Ａ１−Ｘ、Ａ１−Ｙを並列接続した第１の回路としての回路Ａ１、および３個の第２の回路としての回路Ａ２〜Ａ４から成る４段の回路Ａ１〜Ａ４と、駆動用電源Vs1、Vs2、Vs3、Vs4と、入出力電圧を平滑化し、またエネルギ移行のための電圧源としても機能する平滑コンデンサCs1、Cs2、Cs3、Cs4と、制御回路130と、入出力電圧端子Vcom、VL、VHとを備える。そして、電圧端子VLとVcom間に入力された電圧V1を、約４倍に昇圧された電圧V2にして電圧端子VHとVcom間に出力する機能を有する。
【００９８】
各セル回路Ａ１−Ｘ、Ａ１−Ｙおよび第２の回路Ａ２〜Ａ４は、上記実施の形態１と同様に、低圧側素子、高圧側素子としての２つのMOSFETを直列接続して構成され、第１の回路Ａ１は、セル回路Ａ１−Ｘ、Ａ１−Ｙを並列接続して、平滑コンデンサCs1の両端子間に接続して構成される。また、各平滑コンデンサCs2、Cs3、Cs4の両端子間に接続した３つの回路Ａ２、Ａ３、Ａ４と回路Ａ１とを直列接続して４段回路が構成される。
そして、各セル回路Ａ１−Ｘ、Ａ１−Ｙおよび回路Ａ２、Ａ３、Ａ４内の２つのMOSFETの接続点を中間端子として、セル回路Ａ１−Ｙと回路Ａ４との中間端子間に、コンデンサCr14およびインダクタLr14の直列体で構成されエネルギ移行素子として機能するＬＣ直列体LC14を接続する。また、セル回路Ａ１−Ｘ、回路Ａ２、回路Ａ３の順に並んで直列接続される３つの回路の各隣接回路間となる中間端子間に、コンデンサCr12、Cr23およびインダクタLr12、Lr23の直列体で構成されエネルギ移行素子として機能するＬＣ直列体LC12、LC23を接続する。各段のインダクタLrとコンデンサCrのインダクタンス値と容量値から定まる共振周期の値は、それぞれ等しくなるように設定されている。
【００９９】
これにより、セル回路Ａ１−Ｘ、回路Ａ２、Ａ３と、セル回路Ａ１−Ｘ、回路Ａ２間のＬＣ直列体LC12と、回路Ａ２、回路Ａ３間のＬＣ直列体LC23とで構成される列回路Ｘと、セル回路Ａ１−Ｙ、回路Ａ４とＬＣ直列体LC14とで構成される列回路Ｙとの２つの列回路Ｘ、ＹがＤＣ／ＤＣ電力変換装置内に構成される。
また、ＤＣ／ＤＣ電力変換装置は、各セル回路Ａ１−Ｘ、Ａ１−Ｙおよび回路Ａ２、Ａ３、Ａ４内のMOSFETを駆動するための、ゲート駆動回路111−X、111−Y、112〜114およびフォトカプラ（121L−X、121H−X）、（121L−Y、121H−Y）、（122L、122H）〜（124L、124H）を備える。
【０１００】
次に、動作について説明する。
第１の回路である回路Ａ１は、電圧端子VL−Vcom間に入力されるエネルギを高電圧側に送る駆動用インバータ回路として動作する。即ち、各セル回路Ａ１−Ｘ、Ａ１−Ｙが駆動用インバータ回路として用いられる。
列回路Ｘでは、セル回路Ａ１−Ｘが駆動用インバータ回路として動作し、回路Ａ２、Ａ３が整流回路として動作する。列回路Ｙでは、セル回路Ａ１−Ｙが駆動用インバータ回路として動作し、回路Ａ４が整流回路として動作する。
制御回路130から各列回路Ｘ、Ｙ毎にゲート信号（GateL−X、GateH−X）、（GateL−Y、GateH−Y）が出力され、これらのゲート信号により各列回路Ｘ、Ｙが駆動される。
列回路Ｘ、Ｙ毎のゲート信号（GateL−X、GateH−X）、（GateL−Y、GateH−Y）は上記各実施の形態と同様であり、各回路内のMOSFETに流れる電流とゲート信号との関係も上記実施の形態１の図２で示したものと同様である。
【０１０１】
平滑コンデンサCs1、Cs2、Cs3、Cs4の容量値は、ＬＣ直列体のコンデンサCr12、Cr23、Cr14の容量値と比較して十分大きな値に設定される。
上述したように、電圧端子VL−Vcom間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs1には電圧V1の電圧が充電されており、平滑コンデンサCs2、Cs3、Cs4には平均的に（V2−V1）／3の電圧が充電されている。
【０１０２】
セル回路Ａ１−Ｘ、回路Ａ２、Ａ３およびＬＣ直列体LC12、LC23で構成される列回路Ｘの動作について説明する。
低圧側MOSFETへのゲート信号GateL−Xにより、セル回路Ａ１−Ｘおよび回路Ａ２、Ａ３の低圧側MOSFETであるMos1L−X、Mos2L、Mos3Lがオン状態となると、電圧差があるため、平滑コンデンサCs1、Cs2に蓄えられた一部のエネルギが、以下に示す経路でコンデンサCr12、Cr23に移行する。
Cs1⇒Mos2L⇒Lr12⇒Cr12⇒Mos1L−X
Cs1⇒Cs2⇒Mos3L⇒Lr23⇒Cr23⇒Lr12⇒Cr12⇒Mos1L−X
次いで、高圧側MOSFETへのゲート信号GateH−Xにより、セル回路Ａ１−Ｘおよび回路Ａ２、Ａ３の高圧側MOSFETであるMos1H−X、Mos2H、Mos3Hがオン状態となると、電圧差があるため、コンデンサCr12、Cr23に充電されたエネルギが、以下に示す経路で平滑コンデンサCs2、Cs3に移行する。
Mos1H−X⇒Cr12⇒Lr12⇒Mos2H⇒Cs2
Mos1H−X⇒Cr12⇒Lr12⇒Cr23⇒Lr23⇒Mos3H⇒Cs3⇒Cs2
【０１０３】
セル回路Ａ１−Ｙ、回路Ａ４およびＬＣ直列体LC14で構成される列回路Ｙの動作について説明する。
低圧側MOSFETへのゲート信号GateL−Yにより、セル回路Ａ１−Ｙおよび回路Ａ４の低圧側MOSFETであるMos1L−Y、Mos4Lがオン状態となると、電圧差があるため、平滑コンデンサCs1、Cs2、Cs3に蓄えられた一部のエネルギが、以下に示す経路でコンデンサCr14に移行する。
Cs1⇒Cs2⇒Cs3⇒Mos4L⇒Lr14⇒Cr14⇒Mos1L−Y
次いで、高圧側MOSFETへのゲート信号GateH−Yにより、セル回路Ａ１−Ｙおよび回路Ａ４の高圧側MOSFETであるMos1H−Y、Mos4Hがオン状態となると、電圧差があるため、コンデンサCr14に充電されたエネルギが、以下に示す経路で平滑コンデンサCs2、Cs3、Cs4に移行する。
Mos1H−Y⇒Cr14⇒Lr14⇒Mos4H⇒Cs4⇒Cs3⇒Cs2
【０１０４】
このように、コンデンサCr12、Cr23、Cr14の充放電により、平滑コンデンサCs1から平滑コンデンサCs2、Cs3、Cs4にエネルギを移行する。そして、電圧端子VLとVcom間に入力された電圧V1を、約４倍に昇圧された電圧V2にして電圧端子VHとVcom間に出力する。また、各コンデンサCr12、Cr23、Cr14には、インダクタLr12、Lr23、Lr14が直列に接続されてＬＣ直列体LC12、LC13、LC14を構成するため、上記エネルギの移行は共振現象を利用したものとなり、大きなエネルギ量を効率よく移行できる。
また、この実施の形態では、整流回路Ａ２、Ａ３、Ａ４にMOSFETを用いたため、ダイオードを用いたものに比して導通損失が低減でき、電力変換の効率が向上できる。
【０１０５】
以上のように各列回路Ｘ、Ｙは動作するものであるが、各列回路Ｘ、Ｙを駆動する駆動信号は、上記実施の形態３と同様に、周期をＴ（ＬＣ直列体にて定まる共振周期）として一致させると共に、各列回路間で位相をＴ／2ずらして駆動している（図７参照）。
これにより、平滑コンデンサCs1、Cs2、Cs3、Cs4の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。また、このような平滑コンデンサのリプル電流低減により、信頼性の向上、電力変換効率の向上、および装置構成の小型化が図れる。
【０１０６】
上記実施の形態では、セル回路Ａ１−Ｘ、回路Ａ２、Ａ３およびＬＣ直列体LC12、LC23で構成される列回路Ｘと、セル回路Ａ１−Ｙ、回路Ａ４およびＬＣ直列体LC14で構成される列回路Ｙとの２つの列回路Ｘ、ＹをＤＣ／ＤＣ電力変換装置内に構成したが、２つの列回路の組み合わせはこれに限るものではない。また、列回路の個数（ｍ）も３以上としても良い。その場合も、セル回路と２以上の第２の回路との並んで直列接続される３以上の回路と、これらの各隣接回路間となる中間端子間にそれぞれ接続されるＬＣ直列体とで構成される列回路を備える。そして、各列回路を駆動する駆動信号は、周期を一致させると共に、各列回路間で位相を２π／ｍ（rad）ずつずらして駆動することにより、平滑コンデンサに流れる交流電流（リプル電流）が効果的に低減できる。
なお、位相差は、これに限らず、各列回路間で位相をずらすことにより、平滑コンデンサへの充放電電流を列回路間で融通し合えるため、リプル電流低減の効果がある。
【０１０７】
また、この実施の形態では、電圧端子VLh−VLl間に入力される電圧V1を約4倍に昇圧して、電圧端子VH−Vcom間に電圧V2として出力するDC／DC電力変換装置について説明したが、実施の形態２や４のように、電圧V2からV2の約1／4の電圧V1へ降圧する動作も可能である。さらに、V1×４＞V2のとき昇圧動作を行い、V1×４＜V2のときに降圧動作を行うようにして双方向のエネルギ移行を実現することもできる。
【０１０８】
また、この実施の形態では、整流回路Ａ２、Ａ３、Ａ４にMOSFETを用いたが、実施の形態５、６のように整流回路をダイオードで構成してもよい。
【０１０９】
実施の形態９．
次に、この発明の実施の形態９によるＤＣ／ＤＣ電力変換装置について説明する。
図１３はこの発明の実施の形態９によるＤＣ／ＤＣ電力変換装置の回路構成を示すもので、図６に示した実施の形態３によるＤＣ／ＤＣ電力変換装置において、平滑コンデンサの配置を変更したものである。その他の構成は図６に示すものと同じであり、電圧端子VLとVcom間に入力された電圧V1を、約４倍に昇圧された電圧V2にして電圧端子VHとVcom間に出力する機能を有するのも同じである。実施の形態３と異なる点は、平滑コンデンサCs4が無く、電圧端子VHとVcomの間、即ち、回路Ａ４の高圧側端子と回路Ａ１の低圧側端子との間に高圧側平滑コンデンサとしての平滑コンデンサCs40を配置したことである。
【０１１０】
次に、動作について説明する。
上記実施の形態３と同様に、第１の回路である回路Ａ１は、電圧端子VL−Vcom間に入力されるエネルギを高電圧側に送る駆動用インバータ回路として動作する。即ち、各セル回路Ａ１−Ｘ、Ａ１−Ｙが駆動用インバータ回路として用いられる。列回路Ｘでは、セル回路Ａ１−Ｘが駆動用インバータ回路として動作し、回路Ａ２、Ａ４が整流回路として動作する。列回路Ｙでは、セル回路Ａ１−Ｙが駆動用インバータ回路として動作し、回路Ａ３が整流回路として動作する。
上記実施の形態３と同様に、制御回路130から各列回路Ｘ、Ｙ毎にゲート信号（GateL−X、GateH−X）、（GateL−Y、GateH−Y）が出力され、これらのゲート信号により各列回路Ｘ、Ｙが駆動される。
【０１１１】
また、平滑コンデンサCs1、Cs2、Cs3、Cs40の容量値は、ＬＣ直列体のコンデンサCr12、Cr13、Cr14の容量値と比較して十分大きな値に設定される。
上述したように、電圧端子VL−Vcom間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs1には電圧V1の電圧が充電されており、平滑コンデンサCs2、Cs3には平均的に（V2−V1）／3の電圧が充電されている。平滑コンデンサCs40には、電圧V2の電圧が充電されている。
【０１１２】
セル回路Ａ１−Ｘ、回路Ａ２、Ａ４およびＬＣ直列体LC12、LC14で構成される列回路Ｘの動作について説明する。
低圧側MOSFETへのゲート信号GateL−Xにより、セル回路Ａ１−Ｘおよび回路Ａ２、Ａ４の低圧側MOSFETであるMos1L−X、Mos2L、Mos4Lがオン状態となると、電圧差があるため、平滑コンデンサCs1、Cs2、Cs3に蓄えられた一部のエネルギが、以下に示す経路でコンデンサCr12、Cr14に移行する。
Cs1⇒Mos2L⇒Lr12⇒Cr12⇒Mos1L−X
Cs1⇒Cs2⇒Cs3⇒Mos4L⇒Lr14⇒Cr14⇒Mos1L−X
次いで、高圧側MOSFETへのゲート信号GateH−Xにより、セル回路Ａ１−Ｘおよび回路Ａ２、Ａ４の高圧側MOSFETであるMos1H−X、Mos2H、Mos4Hがオン状態となると、電圧差があるため、コンデンサCr12、Cr14に充電されたエネルギが、以下に示す経路で平滑コンデンサCs2、Cs40に移行する。
Mos1H−X⇒Cr12⇒Lr12⇒Mos2H⇒Cs2
Cs1⇒Mos1H−X⇒Cr14⇒Lr14⇒Mos4H⇒Cs40
【０１１３】
次に、セル回路Ａ１−Ｙ、回路Ａ３およびＬＣ直列体LC13で構成される列回路Ｙの動作について説明する。
低圧側MOSFETへのゲート信号GateL−Yにより、セル回路Ａ１−Ｙおよび回路Ａ３の低圧側MOSFETであるMos1L−Y、Mos3Lがオン状態となると、電圧差があるため、平滑コンデンサCs1、Cs2に蓄えられた一部のエネルギが、以下に示す経路でコンデンサCr13に移行する。
Cs1⇒Cs2⇒Mos3L⇒Lr13⇒Cr13⇒Mos1L−Y
次いで、高圧側MOSFETへのゲート信号GateH−Yにより、セル回路Ａ１−Ｙおよび回路Ａ３の高圧側MOSFETであるMos1H−Y、Mos3Hがオン状態となると、電圧差があるため、コンデンサCr13に充電されたエネルギが、以下に示す経路で平滑コンデンサCs2、Cs3に移行する。
Mos1H−Y⇒Cr13⇒Lr13⇒Mos3H⇒Cs3⇒Cs2
【０１１４】
このように、コンデンサCr12、Cr13、Cr14の充放電により、平滑コンデンサCs1から平滑コンデンサCs2、Cs3、Cs40にエネルギを移行する。この実施の形態では、セル回路Ａ１−Ｘおよび回路Ａ４の高圧側MOSFETであるMos1H−X、Mos4Hがオンしたときのエネルギ移行の流れが、上記実施の形態３とは異なる。そして、電圧端子VLとVcom間に入力された電圧V1を、約４倍に昇圧された電圧V2にして電圧端子VHとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
またこの実施の形態でも、整流回路Ａ２〜Ａ４にMOSFETを用いたため、ダイオードを用いたものに比して導通損失が低減でき、電力変換の効率が向上できる。
【０１１５】
以上のように各列回路Ｘ、Ｙは動作するものであるが、２つの列回路Ｘ、Ｙを備えたＤＣ／ＤＣ電力変換装置全体の動作について、以下に説明する。
各列回路Ｘ、Ｙ内のMOSFETを駆動するゲート信号GateH−X、GateH−Y、GateL−X、GateL−Yは、図７で示した実施の形態３と同じである。図７で示したように、各列回路Ｘ、Ｙを駆動する駆動信号は、周期をＴ（ＬＣ直列体にて定まる共振周期）として一致させると共に、各列回路間で位相をＴ／2ずつずらして駆動している。
【０１１６】
例えば、V1の電圧72V、入力直流電流75Aの条件における、平滑コンデンサCs1、Cs2、Cs3、Cs40に流れる電流を、上記実施の形態３の場合を比較例として図１４に示す。縦軸は電流、横軸は時間である。図１４に示すように、平滑コンデンサCs2とCs3のリプル電流はゼロとなって大きく低減する。この実施の形態の平滑コンデンサCs40のリプル電流と実施の形態３のCs4のリプル電流とは同じになる。平滑コンデンサCs1のリプル電流は大きくなるが、その大きさは実施の形態３の場合の1.06倍程度である。全体としてみると、この実施の形態では、上記実施の形態３と比較して平滑コンデンサのリプル電流が低減する。
【０１１７】
以上のように、この実施の形態では、４段の回路Ａ１、Ａ２、Ａ３、Ａ４の内、駆動用インバータ回路として動作する第１の回路Ａ１を２個のセル回路Ａ１−Ｘ、Ａ１−Ｙを並列接続して構成することで、ＤＣ／ＤＣ電力変換装置内に２つの列回路Ｘ、Ｙを構成した。そして、各列回路Ｘ、Ｙを、駆動周期を一致させると共に各列回路間で位相を２π／２（rad）ずらして駆動した。これにより、平滑コンデンサCs1、Cs2、Cs3の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。さらに、平滑コンデンサCs40を電圧端子VHとVcomの間に設けたことにより、上記実施の形態３と比較してさらに平滑コンデンサのリプル電流を低減することができる。
このような平滑コンデンサのリプル電流低減により、信頼性の向上、電力変換効率の向上、および装置構成の小型化がさらに図れる。
【０１１８】
実施の形態１０．
次に、この発明の実施の形態１０によるＤＣ／ＤＣ電力変換装置について説明する。
図１５はこの発明の実施の形態１０によるＤＣ／ＤＣ電力変換装置の回路構成を示すもので、図６に示した実施の形態３によるＤＣ／ＤＣ電力変換装置において、平滑コンデンサの配置を、上記実施の形態９とは別の手法で変更したものである。その他の構成は図６に示すものと同じであり、電圧端子VLとVcom間に入力された電圧V1を、約４倍に昇圧された電圧V2にして電圧端子VHとVcom間に出力する機能を有するのも同じである。実施の形態３と異なる点は、平滑コンデンサCs4が無く、電圧端子VHとVLの間、即ち、回路Ａ４の高圧側端子と回路Ａ１の高圧側端子（回路Ａ２の低圧側端子）との間に高圧側平滑コンデンサとしての平滑コンデンサCs41を配置したことである。
【０１１９】
次に、動作について説明する。
上記実施の形態３、９と同様に、第１の回路である回路Ａ１は、電圧端子VL−Vcom間に入力されるエネルギを高電圧側に送る駆動用インバータ回路として動作する。即ち、各セル回路Ａ１−Ｘ、Ａ１−Ｙが駆動用インバータ回路として用いられる。列回路Ｘでは、セル回路Ａ１−Ｘが駆動用インバータ回路として動作し、回路Ａ２、Ａ４が整流回路として動作する。列回路Ｙでは、セル回路Ａ１−Ｙが駆動用インバータ回路として動作し、回路Ａ３が整流回路として動作する。
実施の形態３、９と同様に、制御回路130から各列回路Ｘ、Ｙ毎にゲート信号（GateL−X、GateH−X）、（GateL−Y、GateH−Y）が出力され、これらのゲート信号により各列回路Ｘ、Ｙが駆動される。
【０１２０】
また、平滑コンデンサCs1、Cs2、Cs3、Cs41の容量値は、ＬＣ直列体のコンデンサCr12、Cr13、Cr14の容量値と比較して十分大きな値に設定される。
上述したように、電圧端子VL−Vcom間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs1には電圧V1の電圧が充電されており、平滑コンデンサCs2、Cs3には平均的に（V2−V1）／3の電圧が充電され、平滑コンデンサCs41にはV2−V1の電圧が充電されている。
【０１２１】
セル回路Ａ１−Ｘ、回路Ａ２、Ａ４およびＬＣ直列体LC12、LC14で構成される列回路Ｘの動作について説明する。
低圧側MOSFETへのゲート信号GateL−Xにより、セル回路Ａ１−Ｘおよび回路Ａ２、Ａ４の低圧側MOSFETであるMos1L−X、Mos2L、Mos4Lがオン状態となると、電圧差があるため、平滑コンデンサCs1、Cs2、Cs3に蓄えられた一部のエネルギが、以下に示す経路でコンデンサCr12、Cr14に移行する。
Cs1⇒Mos2L⇒Lr12⇒Cr12⇒Mos1L−X
Cs1⇒Cs2⇒Cs3⇒Mos4L⇒Lr14⇒Cr14⇒Mos1L−X
次いで、高圧側MOSFETへのゲート信号GateH−Xにより、セル回路Ａ１−Ｘおよび回路Ａ２、Ａ４の高圧側MOSFETであるMos1H−X、Mos2H、Mos4Hがオン状態となると、電圧差があるため、コンデンサCr12、Cr14に充電されたエネルギが、以下に示す経路で平滑コンデンサCs2、Cs41に移行する。
Mos1H−X⇒Cr12⇒Lr12⇒Mos2H⇒Cs2
Mos1H−X⇒Cr14⇒Lr14⇒Mos4H⇒Cs41
【０１２２】
次に、セル回路Ａ１−Ｙ、回路Ａ３およびＬＣ直列体LC13で構成される列回路Ｙの動作について説明する。
低圧側MOSFETへのゲート信号GateL−Yにより、セル回路Ａ１−Ｙおよび回路Ａ３の低圧側MOSFETであるMos1L−Y、Mos3Lがオン状態となると、電圧差があるため、平滑コンデンサCs1、Cs2に蓄えられた一部のエネルギが、以下に示す経路でコンデンサCr13に移行する。
Cs1⇒Cs2⇒Mos3L⇒Lr13⇒Cr13⇒Mos1L−Y
次いで、高圧側MOSFETへのゲート信号GateH−Yにより、セル回路Ａ１−Ｙおよび回路Ａ３の高圧側MOSFETであるMos1H−Y、Mos3Hがオン状態となると、電圧差があるため、コンデンサCr13に充電されたエネルギが、以下に示す経路で平滑コンデンサCs2、Cs3に移行する。
Mos1H−Y⇒Cr13⇒Lr13⇒Mos3H⇒Cs3⇒Cs2
【０１２３】
このように、コンデンサCr12、Cr13、Cr14の充放電により、平滑コンデンサCs1から平滑コンデンサCs2、Cs3、Cs41にエネルギを移行する。この実施の形態では、セル回路Ａ１−Ｘおよび回路Ａ４の高圧側MOSFETであるMos1H−X、Mos4Hがオンしたときのエネルギ移行の流れが、実施の形態３および９とは異なる。そして、電圧端子VLとVcom間に入力された電圧V1を、約４倍に昇圧された電圧V2にして電圧端子VHとVcom間に出力する。また、各コンデンサCr12、Cr13、Cr14には、インダクタLr12、Lr13、Lr14が直列に接続されてＬＣ直列体LC12、LC13、LC14を構成するため、上記エネルギの移行は共振現象を利用したものとなり、大きなエネルギ量を効率よく移行できる。
またこの実施の形態でも、整流回路Ａ２〜Ａ４にMOSFETを用いたため、ダイオードを用いたものに比して導通損失が低減でき、電力変換の効率が向上できる。
【０１２４】
以上のように各列回路Ｘ、Ｙは動作するものであるが、２つの列回路Ｘ、Ｙを備えたＤＣ／ＤＣ電力変換装置全体の動作について、以下に説明する。
各列回路Ｘ、Ｙ内のMOSFETを駆動するゲート信号GateH−X、GateH−Y、GateL−X、GateL−Yは、図７で示した実施の形態３と同じである。図７で示したように、各列回路Ｘ、Ｙを駆動する駆動信号は、周期をＴ（ＬＣ直列体にて定まる共振周期）として一致させると共に、各列回路間で位相をＴ／2ずつずらして駆動している。
【０１２５】
例えば、V1の電圧72V、入力直流電流75Aの条件における、平滑コンデンサCs1、Cs2、Cs3、Cs41に流れる電流を、上記実施の形態３の場合を比較例として図１６に示す。縦軸は電流、横軸は時間である。図１６に示すように、平滑コンデンサCs2とCs3のリプル電流はゼロとなって大きく低減し、この実施の形態の平滑コンデンサCs41のリプル電流と実施の形態３のCs4のリプル電流とは同じになる。また平滑コンデンサCs1のリプル電流は実施の形態３の場合と同じである。このため、この実施の形態では上記実施の形態３と比較して平滑コンデンサのリプル電流が低減する。
【０１２６】
以上のように、この実施の形態では、４段の回路Ａ１、Ａ２、Ａ３、Ａ４の内、駆動用インバータ回路として動作する第１の回路Ａ１を２個のセル回路Ａ１−Ｘ、Ａ１−Ｙを並列接続して構成することで、ＤＣ／ＤＣ電力変換装置内に２つの列回路Ｘ、Ｙを構成した。そして、各列回路Ｘ、Ｙを、駆動周期を一致させると共に各列回路間で位相を２π／２（rad）ずらして駆動した。これにより、平滑コンデンサCs1、Cs2、Cs3の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。さらに、平滑コンデンサCs41を電圧端子VHとVLの間に設けたことにより、上記実施の形態３と比較してさらに平滑コンデンサのリプル電流を低減することができる。
このような平滑コンデンサのリプル電流低減により、信頼性の向上、電力変換効率の向上、および装置構成の小型化がさらに図れる。
【０１２７】
上記実施の形態９、１０では、２個の列回路間で位相を２π／２（rad）ずらして駆動することにより、効果的にリプル電流を低減したが、位相差はこれに限らず、列回路間で位相をずらすことによりリプル電流低減の効果がある。
【０１２８】
また上記実施の形態９、１０では、セル回路Ａ１−Ｘ、回路Ａ２、Ａ４およびＬＣ直列体LC12、LC14で構成される列回路Ｘと、セル回路Ａ１−Ｙ、回路Ａ３およびＬＣ直列体LC13で構成される列回路Ｙとの２つの列回路Ｘ、ＹをＤＣ／ＤＣ電力変換装置内に構成したが、２つの列回路の組み合わせはこれに限るものではない。例えば、セル回路Ａ１−Ｘ、回路Ａ２、Ａ３およびＬＣ直列体LC12、LC13による列回路と、セル回路Ａ１−Ｙ、回路Ａ４およびＬＣ直列体LC14による列回路の組み合わせ等でも良い。
【０１２９】
また、上記実施の形態９、１０ではV1⇒V2の昇圧形ＤＣ／ＤＣ電力変換装置について示したが、上記実施の形態４のように、V1×４＜V2として、回路Ａ２、Ａ３、Ａ４を駆動用インバータ回路に、回路Ａ１を整流回路に用いて、V2⇒V1の降圧形のエネルギ移行も実現でき、上記実施の形態９、１０と同様に、平滑コンデンサのリプル電流を低減することができる。
さらに、上記実施の形態９、１０によるＤＣ／ＤＣ電力変換装置の回路構成で、双方向のエネルギ移行も実現することもでき、その場合、V1×４＞V2のとき昇圧動作を行い、昇圧時には回路Ａ１を駆動用インバータ回路に、回路Ａ２、Ａ３、Ａ４を整流回路に用いる。また、V1×４＜V2のときに降圧動作を行い、降圧時には回路Ａ２、Ａ３、Ａ４を駆動用インバータ回路に、回路Ａ１を整流回路に用いる。このように制御される昇降圧形のＤＣ／ＤＣ電力変換装置では、上記実施の形態９、１０と同様の効果が得られると共に、１つの装置で双方向のエネルギ移行を実現でき広く利用できる。
【０１３０】
さらに、実施の形態９、１０では、整流回路Ａ２、Ａ３、Ａ４にMOSFETを用いたが、実施の形態５、６のように整流回路をダイオードで構成してもよい。また、V2⇒V1の降圧形のエネルギ移行の場合、整流回路はＡ１−Ｘ、Ａ１−Ｙとなり、これらをダイオードで構成してもよい。
【０１３１】
実施の形態１１．
次に、この発明の実施の形態１１によるＤＣ／ＤＣ電力変換装置について説明する。
図１７はこの発明の実施の形態１１によるＤＣ／ＤＣ電力変換装置の回路構成を示すもので、図１１に示した実施の形態７によるＤＣ／ＤＣ電力変換装置において、平滑コンデンサの配置を変更したものである。その他の構成は図１１に示すものと同じであり、電圧端子VLhとVLl間に入力された電圧V1を、約４倍に昇圧された電圧V2にして電圧端子VHとVcom間に出力する機能を有するのも同じである。実施の形態７と異なる点は、平滑コンデンサCs4が無く、電圧端子VHとVcomの間、即ち、回路Ｂ４の高圧側端子と回路Ｂ１の低圧側端子との間に高圧側平滑コンデンサとしての平滑コンデンサCs40を配置したことである。
【０１３２】
次に、動作について説明する。
上記実施の形態７と同様に、第１の回路である回路Ｂ２は、電圧端子VLh−VLl間に入力されるエネルギを高電圧側に送る駆動用インバータ回路として動作する。即ち、各セル回路Ｂ２−Ｘ、Ｂ２−Ｙが駆動用インバータ回路として用いられる。列回路Ｘでは、セル回路Ｂ２−Ｘが駆動用インバータ回路として動作し、回路Ｂ１、Ｂ３が整流回路として動作する。列回路Ｙでは、セル回路Ｂ２−Ｙが駆動用インバータ回路として動作し、回路Ｂ４が整流回路として動作する。
また、実施の形態７と同様に、制御回路130から各列回路Ｘ、Ｙ毎にゲート信号（GateL−X、GateH−X）、（GateL−Y、GateH−Y）が出力され、これらのゲート信号により各列回路Ｘ、Ｙが駆動される。
【０１３３】
平滑コンデンサCs1、Cs2、Cs3、Cs40の容量値は、ＬＣ直列体のコンデンサCr21、Cr23、Cr24の容量値と比較して十分大きな値に設定される。
上述したように、電圧端子VLh−VLl間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs2には電圧V1の電圧が充電されており、平滑コンデンサCs1、Cs3には平均的に（V2−V1）／3の電圧が充電されている。平滑コンデンサCs40には、電圧V2の電圧が充電されている。
【０１３４】
セル回路Ｂ２−Ｘ、回路Ｂ１、Ｂ３およびＬＣ直列体LC21、LC23で構成される列回路Ｘの動作について説明する。
低圧側MOSFETへのゲート信号GateL−Xにより、セル回路Ｂ２−Ｘおよび回路Ｂ１、Ｂ３の低圧側MOSFETであるMos2L−X、Mos1L、Mos3Lがオン状態となると、電圧差があるため、コンデンサCr21に充電されたエネルギが平滑コンデンサCs1に、平滑コンデンサCs2に蓄えられた一部のエネルギがコンデンサCr23に、以下に示す経路で移行する。
Mos1L⇒Cr21⇒Lr21⇒Mos2L−X⇒Cs1
Cs2⇒Mos3L⇒Lr23⇒Cr23⇒Mos2L−X
次いで、高圧側MOSFETへのゲート信号GateH−Xにより、セル回路Ｂ２−Ｘおよび回路Ｂ１、Ｂ３の高圧側MOSFETであるMos1H−X、Mos1H、Mos3Hがオン状態となると、電圧差があるため、平滑コンデンサCs2に蓄えられていた一部のエネルギがコンデンサCr21に、コンデンサCr23に充電されたエネルギが平滑コンデンサCs3に、以下に示す経路で移行する。
Cs2⇒Mos2H−X⇒Lr21⇒Cr21⇒Mos1H
Cs2⇒Mos2H−X⇒Cr23⇒Lr23⇒Mos3H⇒Cs3
【０１３５】
次に、セル回路Ｂ２−Ｙ、回路Ｂ４およびＬＣ直列体LC24で構成される列回路Ｙの動作について説明する。
低圧側MOSFETへのゲート信号GateL−Yにより、セル回路Ｂ２−Ｙおよび回路Ｂ４の低圧側MOSFETであるMos2L−Y、Mos4Lがオン状態となると、電圧差があるため、平滑コンデンサCs2、Cs3に蓄えられた一部のエネルギが、以下に示す経路でコンデンサCr24に移行する。
Cs2⇒Cs3⇒Mos4L⇒Lr24⇒Cr24⇒Mos2L−Y
次いで、高圧側MOSFETへのゲート信号GateH−Yにより、セル回路Ｂ２−Ｙおよび回路Ｂ４の高圧側MOSFETであるMos2H−Y、Mos4Hがオン状態となると、電圧差があるため、コンデンサCr24に充電されたエネルギと平滑コンデンサCs1、Cs2に蓄えられたエネルギが、以下に示す経路で平滑コンデンサCs40に移行する。
Cs1⇒Cs2⇒Mos2H−Y⇒Cr24⇒Lr24⇒Mos4H⇒Cs40
【０１３６】
このように、コンデンサCr21、Cr23、Cr24の充放電により、平滑コンデンサCs1から平滑コンデンサCs2、Cs3、Cs40にエネルギを移行する。この実施の形態では、セル回路Ｂ２−Ｙおよび回路Ｂ４の高圧側MOSFETであるMos2H−Y、Mos4Hがオンしたときのエネルギ移行の流れが、上記実施の形態７とは異なる。そして、電圧端子VLhとVLl間に入力された電圧V1を、約４倍に昇圧された電圧V2にして電圧端子VHとVcom間に出力する。また、各コンデンサCr21、Cr23、Cr24には、インダクタLr21、Lr23、Lr24が直列に接続されてＬＣ直列体LC21、LC23、LC24を構成するため、上記エネルギの移行は共振現象を利用したものとなり、大きなエネルギ量を効率よく移行できる。
またこの実施の形態でも、整流回路Ｂ１、Ｂ３、Ｂ４にMOSFETを用いたため、ダイオードを用いたものに比して導通損失が低減でき、電力変換の効率が向上できる。
【０１３７】
以上のように各列回路Ｘ、Ｙは動作するものであるが、２つの列回路Ｘ、Ｙを備えたＤＣ／ＤＣ電力変換装置全体の動作について、以下に説明する。
各列回路Ｘ、Ｙ内のMOSFETを駆動するゲート信号GateH−X、GateH−Y、GateL−X、GateL−Yは、図７で示した実施の形態３と同じである。図７で示したように、各列回路Ｘ、Ｙを駆動する駆動信号は、周期をＴ（ＬＣ直列体にて定まる共振周期）として一致させると共に、各列回路間で位相をＴ／2ずつずらして駆動している。
【０１３８】
例えば、V1の電圧72V、入力直流電流75Aの条件における、平滑コンデンサCs1、Cs2、Cs3、Cs40に流れる電流を、実施の形態７の場合を比較例として図１８に示す。縦軸は電流、横軸は時間である。図１８に示すように、平滑コンデンサCs1とCs3のリプル電流はゼロとなって大きく低減し、この実施の形態の平滑コンデンサCs40のリプル電流と実施の形態７のCs4のリプル電流とは同じとなる。平滑コンデンサCs2のリプル電流は大きくなるが、その大きさは実施の形態７の場合の1.06倍程度である。全体としてみると、この実施の形態では、上記実施の形態７と比較して平滑コンデンサのリプル電流が低減する。
【０１３９】
以上のように、この実施の形態では、４段の回路Ｂ１、Ｂ２、Ｂ３、Ｂ４の内、駆動用インバータ回路として動作する第２の回路Ｂ２を２個のセル回路Ｂ２−Ｘ、Ｂ２−Ｙを並列接続して構成することで、ＤＣ／ＤＣ電力変換装置内に２つの列回路Ｘ、Ｙを構成した。そして、各列回路Ｘ、Ｙを、駆動周期を一致させると共に各列回路間で位相を２π／２（rad）ずらして駆動した。これにより、平滑コンデンサCs1、Cs2、Cs3の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。さらに、平滑コンデンサCs40を電圧端子VHとVcomの間に設けたことにより、上記実施の形態７よりもリプル電流を低減することができる。
このような平滑コンデンサのリプル電流低減により、信頼性の向上、電力変換効率の向上、および装置構成の小型化がさらに図れる。
【０１４０】
実施の形態１２．
次に、この発明の実施の形態１２によるＤＣ／ＤＣ電力変換装置について説明する。
図１９はこの発明の実施の形態１２によるＤＣ／ＤＣ電力変換装置の回路構成を示すもので、図１１に示した実施の形態７によるＤＣ／ＤＣ電力変換装置において、平滑コンデンサの配置を、上記実施の形態１１とは別の手法で変更したものである。その他の構成は図１１に示すものと同じであり、電圧端子VLhとVLl間に入力された電圧V1を、約４倍に昇圧された電圧V2にして電圧端子VHとVcom間に出力する機能を有するのも同じである。実施の形態７と異なる点は、平滑コンデンサCs4が無く、電圧端子VHとVLhの間、即ち、回路Ｂ４の高圧側端子と回路Ｂ２の高圧側端子（回路Ｂ３の低圧側端子）との間に高圧側平滑コンデンサとしての平滑コンデンサCs42を配置したことである。
【０１４１】
次に、動作について説明する。
上記実施の形態７と同様に、第１の回路である回路Ｂ２は、電圧端子VLh−VLl間に入力されるエネルギを高電圧側に送る駆動用インバータ回路として動作する。即ち、各セル回路Ｂ２−Ｘ、Ｂ２−Ｙが駆動用インバータ回路として用いられる。列回路Ｘでは、セル回路Ｂ２−Ｘが駆動用インバータ回路として動作し、回路Ｂ１、Ｂ３が整流回路として動作する。列回路Ｙでは、セル回路Ｂ２−Ｙが駆動用インバータ回路として動作し、回路Ｂ４が整流回路として動作する。
実施の形態７と同様に、制御回路130から各列回路Ｘ、Ｙ毎にゲート信号（GateL−X、GateH−X）、（GateL−Y、GateH−Y）が出力され、これらのゲート信号により各列回路Ｘ、Ｙが駆動される。
【０１４２】
平滑コンデンサCs1、Cs2、Cs3、Cs42の容量値は、ＬＣ直列体のコンデンサCr21、Cr23、Cr24の容量値と比較して十分大きな値に設定される。
上述したように、電圧端子VLh−VLl間に入力された電圧V1を、約４倍に昇圧された電圧V2にして電圧端子VH−Vcom間に出力するため、電圧端子VH−Vcom間に負荷が接続され、電圧V2は4×V1よりも低い値となっている。定常状態では、平滑コンデンサCs2には電圧V1の電圧が充電されており、平滑コンデンサCs1、Cs3には平均的に（V2−V1）／3の電圧が充電されている。平滑コンデンサCs42には平均的に2/3×（V2−V1）の電圧が充電されている。
【０１４３】
セル回路Ｂ２−Ｘ、回路Ｂ１、Ｂ３およびＬＣ直列体LC21、LC23で構成される列回路Ｘの動作について説明する。
低圧側MOSFETへのゲート信号GateL−Xにより、セル回路Ｂ２−Ｘおよび回路Ｂ１、Ｂ３の低圧側MOSFETであるMos2L−X、Mos1L、Mos3Lがオン状態となると、電圧差があるため、コンデンサCr21に充電されたエネルギが平滑コンデンサCs1に、平滑コンデンサCs2に蓄えられた一部のエネルギがコンデンサCr23に、以下に示す経路で移行する。
Mos1L⇒Cr21⇒Lr21⇒Mos2L−X⇒Cs1
Cs2⇒Mos3L⇒Lr23⇒Cr23⇒Mos2L−X
次いで、高圧側MOSFETへのゲート信号GateH−Xにより、セル回路Ｂ２−Ｘおよび回路Ｂ１、Ｂ３の高圧側MOSFETであるMos1H−X、Mos1H、Mos3Hがオン状態となると、電圧差があるため、平滑コンデンサCs2に蓄えられていた一部のエネルギがコンデンサCr21に、コンデンサCr23に充電されたエネルギが平滑コンデンサCs3に、以下に示す経路で移行する。
Cs2⇒Mos2H−X⇒Lr21⇒Cr21⇒Mos1H
Cs2⇒Mos2H−X⇒Cr23⇒Lr23⇒Mos3H⇒Cs3
【０１４４】
次に、セル回路Ｂ２−Ｙ、回路Ｂ４およびＬＣ直列体LC24で構成される列回路Ｙの動作について説明する。
低圧側MOSFETへのゲート信号GateL−Yにより、セル回路Ｂ２−Ｙおよび回路Ｂ４の低圧側MOSFETであるMos2L−Y、Mos4Lがオン状態となると、電圧差があるため、平滑コンデンサCs2、Cs3に蓄えられた一部のエネルギが、以下に示す経路でコンデンサCr24に移行する。
Cs2⇒Cs3⇒Mos4L⇒Lr24⇒Cr24⇒Mos2L−Y
次いで、高圧側MOSFETへのゲート信号GateH−Yにより、セル回路Ｂ２−Ｙおよび回路Ｂ４の高圧側MOSFETであるMos2H−Y、Mos4Hがオン状態となると、電圧差があるため、コンデンサCr24に充電されたエネルギが、以下に示す経路で平滑コンデンサCs42に移行する。
Mos2H−Y⇒Cr24⇒Lr24⇒Mos4H⇒Cs42
【０１４５】
このように、コンデンサCr21、Cr23、Cr24の充放電により、平滑コンデンサCs1から平滑コンデンサCs2、Cs3、Cs42にエネルギを移行する。この実施の形態では、セル回路Ｂ２−Ｙおよび回路Ｂ４の高圧側MOSFETであるMos2H−Y、Mos4Hがオンしたときのエネルギ移行の流れが、上記実施の形態７とは異なる。そして、電圧端子VLhとVLl間に入力された電圧V1を、約４倍に昇圧された電圧V2にして電圧端子VHとVcom間に出力する。また、各コンデンサCr21、Cr23、Cr24には、インダクタLr21、Lr23、Lr24が直列に接続されてＬＣ直列体LC21、LC23、LC24を構成するため、上記エネルギの移行は共振現象を利用したものとなり、大きなエネルギ量を効率よく移行できる。
またこの実施の形態でも、整流回路Ｂ１、Ｂ３、Ｂ４にMOSFETを用いたため、ダイオードを用いたものに比して導通損失が低減でき、電力変換の効率が向上できる。
【０１４６】
以上のように各列回路Ｘ、Ｙは動作するものであるが、２つの列回路Ｘ、Ｙを備えたＤＣ／ＤＣ電力変換装置全体の動作について、以下に説明する。
各列回路Ｘ、Ｙ内のMOSFETを駆動するゲート信号GateH−X、GateH−Y、GateL−X、GateL−Yは、図７で示した実施の形態３と同じである。図７で示したように、各列回路Ｘ、Ｙを駆動する駆動信号は、周期をＴ（ＬＣ直列体にて定まる共振周期）として一致させると共に、各列回路間で位相をＴ／2ずつずらして駆動している。
【０１４７】
例えば、V1の電圧72V、入力直流電流75Aの条件における、平滑コンデンサCs1、Cs2、Cs3、Cs42に流れる電流を、実施の形態７の場合を比較例として図２０に示す。縦軸は電流、横軸は時間である。図２０に示すように、平滑コンデンサCs3のリプル電流はゼロとなって大きく低減し、平滑コンデンサCs1とCs2のリプル電流は実施の形態７の場合と同じである。またこの実施の形態の平滑コンデンサCs42のリプル電流と実施の形態７のCs4のリプル電流とは同じとなる。このため、この実施の形態により、上記実施の形態７と比較して平滑コンデンサのリプル電流が低減する。
【０１４８】
以上のように、この実施の形態では、４段の回路Ｂ１、Ｂ２、Ｂ３、Ｂ４の内、駆動用インバータ回路として動作する第２の回路Ｂ２を２個のセル回路Ｂ２−Ｘ、Ｂ２−Ｙを並列接続して構成することで、ＤＣ／ＤＣ電力変換装置内に２つの列回路Ｘ、Ｙを構成した。そして、各列回路Ｘ、Ｙを、駆動周期を一致させると共に各列回路間で位相を２π／２（rad）ずらして駆動した。これにより、平滑コンデンサCs1、Cs2、Cs3の充放電タイミングがずれ、平滑コンデンサCs1、Cs2、Cs3に流れる電流が１周期内で分散して発生すると共に、充放電電流を列回路間で融通し合うため、平滑コンデンサCs1、Cs2、Cs3に流れる交流電流（リプル電流）が低減する。さらに、平滑コンデンサCs42を電圧端子VHとVLhの間に設けたことにより、上記実施の形態７と比較して平滑コンデンサのリプル電流を低減することができる。
このような平滑コンデンサのリプル電流低減により、信頼性の向上、電力変換効率の向上、および装置構成の小型化がさらに図れる。
【０１４９】
上記実施の形態１１、１２では、２個の列回路間で位相を２π／２（rad）ずらして駆動することにより、効果的にリプル電流を低減したが、位相差はこれに限らず、列回路間で位相をずらすことによりリプル電流低減の効果がある。
【０１５０】
また上記実施の形態１１、１２では、セル回路Ｂ２−Ｘ、回路Ｂ１、Ｂ３およびＬＣ直列体LC21、LC23で構成される列回路Ｘと、セル回路Ｂ２−Ｙ、回路Ｂ４およびＬＣ直列体LC24で構成される列回路Ｙとの２つの列回路Ｘ、ＹをＤＣ／ＤＣ電力変換装置内に構成したが、２つの列回路の組み合わせはこれに限るものではない。例えば、セル回路Ｂ２−Ｘ、回路Ｂ１、Ｂ４およびＬＣ直列体LC21、LC24による列回路と、セル回路Ｂ２−Ｙ、回路Ｂ３およびＬＣ直列体LC23による列回路の組み合わせ等でも良い。
【０１５１】
また、上記実施の形態１１、１２ではV1⇒V2の昇圧形ＤＣ／ＤＣ電力変換装置について示したが、V1×４＜V2として、回路Ｂ１、Ｂ３、Ｂ４を駆動用インバータ回路に、回路Ｂ２を整流回路に用いて、上記実施の形態４のようにV2⇒V1の降圧形のエネルギ移行も実現でき、上記実施の形態１１、１２と同様に、平滑コンデンサのリプル電流を低減することができる。
さらに、上記実施の形態１１、１２によるＤＣ／ＤＣ電力変換装置の回路構成で、双方向のエネルギ移行も実現することもでき、その場合、V1×４＞V2のとき昇圧動作を行い、昇圧時には回路Ｂ２を駆動用インバータ回路に、回路Ｂ１、Ｂ３、Ｂ４を整流回路に用いる。また、V1×４＜V2のときに降圧動作を行い、降圧時には回路Ｂ１、Ｂ３、Ｂ４を駆動用インバータ回路に、回路Ｂ２を整流回路に用いる。このように制御される昇降圧形のＤＣ／ＤＣ電力変換装置では、上記実施の形態１１、１２と同様の効果が得られると共に、１つの装置で双方向のエネルギ移行を実現でき広く利用できる。
【０１５２】
さらに、実施の形態１１、１２では、整流回路Ｂ１、Ｂ３、Ｂ４にMOSFETを用いたが、実施の形態５、６のように整流回路をダイオードで構成してもよい。また、V2⇒V1の降圧形のエネルギ移行の場合、整流回路はＢ２−Ｘ、Ｂ２−Ｙとなり、これらをダイオードで構成してもよい。
【０１５３】
上記各実施の形態１〜１２では、各回路間に接続されてエネルギ移行に用いられるコンデンサには、インダクタが直列接続されてＬＣ直列体を構成し、共振現象を利用したエネルギ移行を行うものであった。このコンデンサにインダクタを接続せずにコンデンサのみでエネルギ移行することもできる。そして、上記各実施の形態と同様に複数の列回路を構成して、各列回路間で駆動周期を一致させ位相をずらして駆動することにより、上記各実施の形態と同様に、平滑コンデンサのリプル電流が減少する効果が得られる。この場合も、列回路の数をｍとすると、各列回路の位相を２π／ｍ（rad）ずつずらすのが最も効果的である。
【０１５４】
また、上記各実施の形態では、駆動用インバータ回路、整流回路内のスイッチング素子に、ソース、ドレイン間に寄生ダイオードが形成されているパワーMOSFETを用いたが、ＩＧＢＴ等、制御電極でオンオフ動作が制御できる他の半導体スイッチング素子でも良く、その場合ダイオードが逆並列接続されたものを用い、このダイオードがパワーMOSFETの寄生ダイオードの機能を果たす。
【図面の簡単な説明】
【０１５５】
【図１】この発明の実施の形態１によるＤＣ／ＤＣ電力変換装置の回路構成を示す図である。
【図２】この発明の実施の形態１によるゲート信号および各部の電流波形を示す図である。
【図３】この発明の実施の形態１による各列回路を駆動するゲート信号を示す図である。
【図４】この発明の実施の形態１による平滑コンデンサに流れる電流を比較例と共に示す図である。
【図５】この発明の実施の形態２によるゲート信号および各部の電流波形を示す図である。
【図６】この発明の実施の形態３によるＤＣ／ＤＣ電力変換装置の回路構成を示す図である。
【図７】この発明の実施の形態３による各列回路を駆動するゲート信号を示す図である。
【図８】この発明の実施の形態３による平滑コンデンサに流れる電流を比較例と共に示す図である。
【図９】この発明の実施の形態５によるＤＣ／ＤＣ電力変換装置の回路構成を示す図である。
【図１０】この発明の実施の形態６によるＤＣ／ＤＣ電力変換装置の回路構成を示す図である。
【図１１】この発明の実施の形態７によるＤＣ／ＤＣ電力変換装置の回路構成を示す図である。
【図１２】この発明の実施の形態８によるＤＣ／ＤＣ電力変換装置の回路構成を示す図である。
【図１３】この発明の実施の形態９によるＤＣ／ＤＣ電力変換装置の回路構成を示す図である。
【図１４】この発明の実施の形態９による平滑コンデンサに流れる電流を比較例と共に示す図である。
【図１５】この発明の実施の形態１０によるＤＣ／ＤＣ電力変換装置の回路構成を示す図である。
【図１６】この発明の実施の形態１０による平滑コンデンサに流れる電流を比較例と共に示す図である。
【図１７】この発明の実施の形態１１によるＤＣ／ＤＣ電力変換装置の回路構成を示す図である。
【図１８】この発明の実施の形態１１による平滑コンデンサに流れる電流を比較例と共に示す図である。
【図１９】この発明の実施の形態１２によるＤＣ／ＤＣ電力変換装置の回路構成を示す図である。
【図２０】この発明の実施の形態１２による平滑コンデンサに流れる電流を比較例と共に示す図である。
【符号の説明】
【０１５６】
Ａ１，Ｂ２  第１の回路（駆動用インバータ回路／整流回路）、
Ａ２〜Ａ４，Ｂ１，Ｂ３，Ｂ４  第２の回路（整流回路／駆動用インバータ回路）、
Ａ１−Ｘ，Ａ１−Ｙ，Ａ１−Ｚ，Ｂ２−Ｘ，Ｂ２−Ｙ  セル回路、
Cr12，Cr13，Cr14，Cr21，Cr23，Cr24  コンデンサ、Cs1〜Cs4  平滑コンデンサ、
Cs40〜Cs42  高圧側平滑コンデンサとしての平滑コンデンサ、
Di1L〜Di4L  低圧側ダイオード、Di1H〜Di4H  高圧側ダイオード、
Lr12，Lr13，Lr14，Lr21，Lr23，Lr24  インダクタ、
LC12，LC13，LC14，LC21，LC23，LC24  ＬＣ直列体、
Mos1L〜Mos4L，Mos1L−X，Mos1L−Y，Mos1L−Z，Mos2L−X，Mos2L−Y  低圧側MOSFET、
Mos1H〜Mos4H，Mos1H−X，Mos1H−Y，Mos1H−Z，Mos2H−X，Mos2H−Y  高圧側MOSFET、
GateL−X，GateH−X  列回路Ｘ用ゲート信号、
GateL−Y，GateH−Y  列回路Ｙ用ゲート信号、
GateL−Z，GateH−Z  列回路Ｚ用ゲート信号、Ｔ  駆動周期（共振周期）、
Ｘ，Ｙ，Ｚ  列回路、VL，VLh，VLl，Vcom  電圧端子。
【図１】
2008283847.tif 000003
【図２】
2008283847.tif 000004
【図３】
2008283847.tif 000005
【図４】
2008283847.tif 000006
【図５】
2008283847.tif 000007
【図６】
2008283847.tif 000008
【図７】
2008283847.tif 000009
【図８】
2008283847.tif 000010
【図９】
2008283847.tif 000011
【図１０】
2008283847.tif 000012
【図１１】
2008283847.tif 000013
【図１２】
2008283847.tif 000014
【図１３】
2008283847.tif 000015
【図１４】
2008283847.tif 000016
【図１５】
2008283847.tif 000017
【図１６】
2008283847.tif 000018
【図１７】
2008283847.tif 000019
【図１８】
2008283847.tif 000020
【図１９】
2008283847.tif 000021
【図２０】
2008283847.tif 000022